(57)【要約】本出願は、無線通信技術の分野に関し、特に、無線通信システム内におけるプリコーディング行列指示方法、装置、及びシステムに関する。本出願は、複数段のコードブックを組合せ及び対応するＰＭＩフィードバック方法を提供する。ユーザ機器は、ネットワークデバイスによって送信された指示情報を受信し、指示情報は、プリコーディング行列インジケータ（Ｐｒｅｃｏｄｉｎｇ  Ｍａｔｒｉｘ  Ｉｎｄｉｃａｔｏｒ、ＰＭＩ）をレポートするために使用されるコードブックに関する情報を含み、コードブックに関する情報は、使用されるコードブックが 第１のコードブックから第Ｎのコードブックのうちの少なくとも２つであることを示し、ＰＭＩは、第１のＰＭＩから第ＮのＰＭＩのうちの少なくとも２つを含み、第１のＰＭＩから第ＮのＰＭＩはそれぞれ、第１のコードブックのプリコーディング行列から第Ｎのコードブックのプリコーディング行列を示すために使用され、そして指示情報に基づいてＰＭＩを送信する。
2019537874.tif 000002
【特許請求の範囲】
【請求項１】
ユーザ機器によって、ネットワークデバイスによって送信された指示情報を受信するステップであって、前記指示情報は、プリコーディング行列インジケータ（Ｐｒｅｃｏｄｉｎｇ  Ｍａｔｒｉｘ  Ｉｎｄｉｃａｔｏｒ、ＰＭＩ）をレポートするために使用されるコードブックに関する情報を含み、前記コードブックに関する前記情報は、前記使用されるコードブックが第１のコードブックから第Ｎのコードブックのうちの少なくとも２つであることを示し、前記ＰＭＩは、第１のＰＭＩから第ＮのＰＭＩのうちの少なくとも２つを含み、前記第１のＰＭＩから前記第ＮのＰＭＩはそれぞれ、前記第１のコードブックのプリコーディング行列から前記第Ｎのコードブックのプリコーディング行列を示すために使用され、Ｎは２以上の整数である、ステップと、
前記ユーザ機器によって、前記指示情報に基づいて前記ＰＭＩを送信するステップと
を含む、プリコーディング行列指示方法。
【請求項２】
前記第１のＰＭＩから前記第ＮのＰＭＩの値は、それぞれ前記第１のコードブック中の１つのコードブックインデックスから前記第Ｎのコードブック中の１つのコードブックインデックスに対応する、
請求項１に記載の方法。
【請求項３】
前記第１のコードブックから前記第Ｎのコードブックは、ビーム選択に使用される少なくとも１つのコードブックを含む、
請求項１又は２に記載の方法。
【請求項４】
前記第１のコードブックから前記第Ｎのコードブックは、ビームベースのベクトル選択に使用される少なくとも１つのコードブックを含む、
請求項１〜３のいずれか一項に記載の方法。
【請求項５】
前記第１のコードブックから前記第Ｎのコードブックは、ビーム合成に使用される少なくとも１つのコードブックを含む、
請求項１〜４のいずれか一項に記載の方法。
【請求項６】
前記第１のコードブックから前記第Ｎのコードブックは、ビーム間の振幅及び／又は位相の補償に使用される少なくとも１つのコードブックを含む、
請求項１〜５のいずれか一項に記載の方法。
【請求項７】
ネットワークデバイスによって、指示情報をユーザ機器に送信するステップであって、前記指示情報は、プリコーディング行列インジケータ（Ｐｒｅｃｏｄｉｎｇ  Ｍａｔｒｉｘ  Ｉｎｄｉｃａｔｏｒ、ＰＭＩ）をレポートするために前記ユーザ機器により使用されるコードブックに関する情報を含み、前記コードブックに関する前記情報は、前記使用されるコードブックが第１のコードブックから第Ｎのコードブックのうちの少なくとも２つであることを示し、前記ＰＭＩは、第１のＰＭＩから第ＮのＰＭＩのうちの少なくとも２つを含み、前記第１のＰＭＩから前記第ＮのＰＭＩはそれぞれ、前記第１のコードブックのプリコーディング行列から前記第Ｎのコードブックのプリコーディング行列を示すために使用され、Ｎは２以上の整数である、ステップと、
前記ネットワークデバイスによって、前記ユーザ機器によって送信された前記ＰＭＩを受信するステップと
を含む、プリコーディング行列指示方法。
【請求項８】
前記第１のＰＭＩから前記第ＮのＰＭＩの値は、それぞれ前記第１のコードブック中の１つのコードブックインデックスから前記第Ｎのコードブック中の１つのコードブックインデックスに対応する、
請求項７に記載の方法。
【請求項９】
ネットワークデバイスによって送信された指示情報を受信するように構成される受信機であって、前記指示情報は、プリコーディング行列インジケータ（Ｐｒｅｃｏｄｉｎｇ  Ｍａｔｒｉｘ  Ｉｎｄｉｃａｔｏｒ、ＰＭＩ）をレポートするために使用されるコードブックに関する情報を含み、前記コードブックに関する前記情報は、前記使用されるコードブックが第１のコードブックから第Ｎのコードブックのうちの少なくとも２つであることを示し、前記ＰＭＩは、第１のＰＭＩから第ＮのＰＭＩのうちの少なくとも２つを含み、前記第１のＰＭＩから前記第ＮのＰＭＩはそれぞれ、前記第１のコードブックのプリコーディング行列から前記第Ｎのコードブックのプリコーディング行列を示すために使用され、Ｎは２以上の整数である、受信機と、
前記指示情報に基づいて前記ＰＭＩを送信するように構成される送信機と
を備える、ユーザ機器。
【請求項１０】
前記第１のＰＭＩから前記第ＮのＰＭＩの値は、それぞれ前記第１のコードブック中の１つのコードブックインデックスから前記第Ｎのコードブック中の１つのコードブックインデックスに対応する、
請求項９に記載のユーザ機器。
【請求項１１】
前記第１のコードブックから前記第Ｎのコードブックは、ビーム選択に使用される少なくとも１つのコードブックを含む、
請求項９又は１０に記載のユーザ機器。
【請求項１２】
前記第１のコードブックから前記第Ｎのコードブックは、ビームベースのベクトル選択に使用される少なくとも１つのコードブックを含む、
請求項９〜１１のいずれか一項に記載のユーザ機器。
【請求項１３】
前記第１のコードブックから前記第Ｎのコードブックは、ビーム合成に使用される少なくとも１つのコードブックを含む、
請求項９〜１２のいずれか一項に記載のユーザ機器。
【請求項１４】
前記第１のコードブックから前記第Ｎのコードブックは、ビーム間の振幅及び／又は位相の補償に使用される少なくとも１つのコードブックを含む、
請求項９〜１３のいずれか一項に記載のユーザ機器。
【請求項１５】
指示情報を前記ユーザ機器に送信するように構成される送信機であって、前記指示情報は、プリコーディング行列インジケータ（Ｐｒｅｃｏｄｉｎｇ  Ｍａｔｒｉｘ  Ｉｎｄｉｃａｔｏｒ、ＰＭＩ）をレポートするために前記ユーザ機器により使用されるコードブックに関する情報を含み、前記コードブックに関する前記情報は、前記使用されるコードブックが第１のコードブックから第Ｎのコードブックのうちの少なくとも２つであることを示し、前記ＰＭＩは、第１のＰＭＩから第ＮのＰＭＩのうちの少なくとも２つを含み、前記第１のＰＭＩから前記第ＮのＰＭＩはそれぞれ、前記第１のコードブックのプリコーディング行列から前記第Ｎのコードブックのプリコーディング行列を示すために使用され、Ｎは２以上の整数である、送信機と、
前記ユーザ機器によって送信された前記ＰＭＩを受信するように構成される受信機と
を備える、ネットワークデバイス。
【請求項１６】
前記ユーザ機器に対して、前記ＰＭＩをレポートするために使用される前記コードブックを決定するように構成されるプロセッサをさらに備える、
請求項１５に記載のネットワークデバイス。
【請求項１７】
前記第１のＰＭＩから前記第ＮのＰＭＩの値は、それぞれ前記第１のコードブック中の１つのコードブックインデックスから前記第Ｎのコードブック中の１つのコードブックインデックスに対応する、
請求項１５又は１６に記載のネットワークデバイス。
【請求項１８】
請求項９〜１４のいずれか一項に記載の前記ユーザ機器と、請求項１５〜１７のいずれか一項に記載の前記ネットワークデバイスを備えるネットワークシステム。
【発明の詳細な説明】
【技術分野】
【０００１】
本出願は、無線通信技術の分野に関し、特に、無線通信システム内におけるプリコーディング行列指示方法、装置、及びシステムに関する。
【背景技術】
【０００２】
無線ネットワークにおいて、多入力多出力（Ｍｕｌｔｉｐｌｅ  Ｉｎｐｕｔ  Ｍｕｌｔｉｐｌｅ  Ｏｕｔｐｕｔ、ＭＩＭＯ）技術の適用と協調するために、ネットワークデバイスは通常、送信データをプリコーディングする必要があり、同じユーザの異なるデータフロー間、又は、異なるユーザのデータフロー間の干渉を低減し、それによってシステムパフォーマンスを向上させる。ネットワークデバイスがプリコーディングを実行するために必要とする情報は、通常、ユーザ機器によってフィードバックされたダウンリンクチャネル測定情報に基づいている。ユーザ機器は、ネットワークデバイスによって送信された参照信号に基づいてチャネル推定を実行し、チャネル推定結果に基づいて、複数のプリコーディング行列を含むコードブックから最も適切なプリコーディング行列を選択し、そして、プリコーディング行列インジケータ（Ｐｒｅｃｏｄｉｎｇ  Ｍａｔｒｉｘ  Ｉｎｄｉｃａｔｏｒ、ＰＭＩ）を使用することによって、そのプリコーディング行列をネットワークデバイスにフィードバックする。プリコーディング行列は、ネットワークデバイスによってダウンリンクデータをプリコーディングするための基準として使用される。
【０００３】
従来技術では、通常、ＰＭＩフィードバックメカニズム間の差又は参照信号送信方式などのファクターに依存するシステムにおいて、複数のコードブックセットが事前に指定され、その後、シグナリングを使用することによって、ＰＭＩをフィードバックするためにどのコードブックセットが選択されるべきかがユーザ機器に通知される。無線シナリオは絶えず発展しており、無線チャネルのビームコンビネーションウェイト及びビーム偏波方向などのさまざまな要素を各コードブックセットについて組み合わせて考慮する必要がある。従って、複数の複雑なコードブックセットを異なるシナリオ用に設計する必要がある。コードブック中の各プリコーディング行列は、１つ又は複数のプリコーディング行列インデックスに依存する。さらに、既存のシステムでは、通常、ＰＭＩをフィードバックするために使用されるコードブックは、異なる上位層シグナリングの相互調整を通じてのみ決定することができる。結果として、ネットワークデバイスは、異なるシナリオにおいて対応するコードブックを使用するようにユーザ機器に指示するために、より高いレイヤのシグナリングを送信する必要があり、これは十分に柔軟ではない。その結果、シグナリングのオーバーヘッドが大きくなり、コードブックの設計が非常に複雑になる。
【０００４】
例えば、新しい無線（Ｎｅｗ  Ｒａｄｉｏ、ＮＲ）技術において継続的に開発されている無線ネットワークでは、参照信号リソース構成はより柔軟である。例えば、周期的及び非周期的ＰＭＩのレポートの両方がサポートされ、プリコーディングされていない参照信号及びプリコーディングされた参照信号の両方がサポートされ、参照信号リソースはマルチパネルアンテナアレイ（Ｍｕｌｔｉ−ｐａｎｅｌ  ａｎｔｅｎｎａ  ａｒｒａｙ）中のアンテナポート（ａｎｔｅｎｎａ  ｐｏｒｔ）、ダイナミックアクティベーション及びデアクティベーションリソースなどを含む。既存のＰＭＩフィードバック解決策は、無線ネットワークにおける柔軟なＰＭＩフィードバック要件を満たすことができない。
【０００５】
従って、異なる参照信号リソース構成を柔軟に適応させることができ、シグナリング及びコードブック設計を単純化することができるように、プリコーディング指示方法が必要とされる。
【発明の概要】
【０００６】
本明細書は、より多くの参照信号リソース構成シナリオをサポートし、ＰＭＩフィードバック方法を設定するために使用されるシグナリングオーバーヘッドを削減するために、複数段のコードブックを組み合わせて使用することによって、及び対応するＰＭＩフィードバック方法を使用することによってＰＭＩフィードバックの柔軟性を向上させるためのプリコーディング指示方法、装置、及びシステムを説明する。
【０００７】
本発明の第１の態様によると、本出願は、ユーザ機器によって、ネットワークデバイスによって送信された指示情報を受信するステップであって、指示情報は、ＰＭＩをレポートするために使用されるコードブックに関する情報を含み、コードブックに関する情報は、使用されるコードブックが第１のコードブックから第Ｎのコードブックのうちの少なくとも２つであることを示し、ＰＭＩは、第１のＰＭＩから第ＮののＰＭＩのうちの少なくとも２つを含み、第１のＰＭＩから第ＮのＰＭＩはそれぞれ、第１のコードブック中のプリコーディング行列から第Ｎのコードブック中のプリコーディング行列を示すために使用される、ステップと、ユーザ機器によって、指示情報に基づいてＰＭＩを送信するステップとを含み、Ｎは２以上の整数である、プリコーディング行列指示方法を提供する。Ｎ個のコードブック及びＮ個のコードブックに対応するＰＭＩが使用されるので、Ｎ個のコードブックのうちの１つ又は複数のコードブックの組合わせは、異なる要件に適応するために、異なるシナリオ要件、例えば、異なるチャネル状態情報−参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ，ＣＳＩ−ＲＳ）リソース構成に応じて使用できる。ネットワークデバイスは、参照信号リソースに使用される必要がある特定のコードブック又は参照信号リソースについてレポートされる必要がある特定のＰＭＩをユーザ機器に指示するだけでよく、それによって複数のシグナリングが異なるコードブック及び異なるＰＭＩフィードバックメカニズムを使用するようにユーザ機器に調整的に指示するために要求されることを回避する。従って、シグナリングオーバーヘッドが減少し、参照信号リソース又は他のシナリオがダイナミックに変化するとき、使用されたコードブックの変化を相応に示すために指示情報のみを送信すればよく、変更ごとに、複数のシグナリングを使用して座標指示を行う必要がない。さらに、異なる検討ファクタに応じて比較的単純な設計を各コードブックに使用してもよく、より多くのアプリケーションシナリオに適応するように複数のコードブックを使用して使用対象の異なる組合せ方法を提供してもよい。このようにして、シナリオごとに複雑なコードブックセットを設計する必要がなくなり、コードブックの設計が簡素化される。
【０００８】
可能な設計において、ユーザ機器は、ネットワークデバイスによって送信された指示情報を受信し、指示情報は、ＰＭＩをレポートするために使用されるコードブックに関する情報を含み、コードブックに関する情報は、使用されたコードブックが第１のコードブック、第２のコードブック、及び第３のコードブックのうちの少なくとも２つであることを示し、ＰＭＩは、第１のＰＭＩ、第２のＰＭＩ、及び第３のＰＭＩのうちの少なくとも２つを含み、第１のＰＭＩ、第２のＰＭＩ、及び第３のＰＭＩはそれぞれ、第１のコードブック中のプリコーディング行列、第２のコードブック中のプリコーディング行列、及び第３のコードブック中のプリコーディング行列を示すために使用され、そしてユーザ機器は、指示情報に基づいてＰＭＩを送信する。
【０００９】
本発明の第２の態様によると、本出願は、ネットワークデバイスによって、指示情報をユーザ機器に送信するステップであって、指示情報は、ＰＭＩをレポートするためにユーザ機器により使用されるコードブックに関する情報を含み、コードブックに関する情報は、使用されるコードブックが第１のコードブックから第Ｎのコードブックのうちの少なくとも２つであることを示し、ＰＭＩは、第１のＰＭＩから第ＮのＰＭＩのうちの少なくとも２つを含み、第１のＰＭＩから第ＮのＰＭＩはそれぞれ、第１のコードブック中のプリコーディング行列から第Ｎのコードブック中のプリコーディング行列を示すために使用される、ステップと、ユーザ機器によって送信されたＰＭＩを受信するステップとを含むプリコーディング行列指示方法を提供し、Ｎは２以上の整数である。
【００１０】
可能な設計において、方法は、ユーザ機器に対してネットワークデバイスによって、ＰＭＩをレポートするために使用されるコードブックを決定するステップをさらに含む。任意選択的に、ユーザ機器に対してネットワークデバイスによってＰＭＩをレポートするために使用されるコードブックを決定するステップは、参照信号がプリコーディングされているかどうかについてのケース及び／又は参照信号リソース中のアンテナポートの分布に依存するユーザ機器のためのネットワークデバイスによって、ＰＭＩをレポートするために使用されるコードブックを決定するステップを含む。
【００１１】
可能な設計において、ネットワークデバイスは、指示情報をユーザ機器に送信し、指示情報は、ＰＭＩをレポートするためにユーザ機器によって使用されるコードブックについての情報を含み、コードブックに関する情報は、使用されるコードブックが第１のコードブック、第２のコードブック、及び第３のコードブックのうちの少なくとも２つであることを示し、ＰＭＩは、第１のＰＭＩ、第２のＰＭＩ、及び第３のＰＭＩのうちの少なくとも２つを含み、第１のＰＭＩ、第２のＰＭＩ、及び第３のＰＭＩはそれぞれ、第１のコードブック中のプリコーディング行列、第２のコードブック中のプリコーディング行列、及び第３のコードブック中のプリコーディング行列を示すために使用され、そして、ネットワークデバイスはユーザ機器によって送信されたＰＭＩを受信する。
【００１２】
第１の態様、第２の態様、又は２つの態様の可能な実装のうちのいずれか１つを参照して、以下の段落は、より可能性のある設計方法を提供する。
【００１３】
任意選択的に、指示情報は、使用される必要があるＰＭＩについての情報も含んでよく、ＰＭＩに関する情報は、ＰＭＩが第１のＰＭＩから第ＮのＰＭＩのうちの少なくとも２つを含むことを示し、第１のＰＭＩから第ＮのＰＭＩはそれぞれ、第１のコードブック中のプリコーディング行列から第Ｎのコードブック中のプリコーディング行列を示すために使用される。
【００１４】
任意選択的に、指示情報は、複数の参照信号リソースに対応するＰＭＩをレポートするために使用されるコードブックに関する情報を含んでもよく、参照信号リソースに対応するＰＭＩをレポートするために異なるコードブックを使用してもよい。参照信号リソースは、参照信号を送信するために使用される、少なくとも１つのアンテナポート（ａｎｔｅｎｎａ  ｐｏｒｔ）及び時間−周波数領域リソースであり、１つの参照信号リソースは少なくとも１つのアンテナポートを含む。シグナリングオーバーヘッドは、１つのシグナリングを使用して、複数の参照信号リソースに対応するＰＭＩをレポートするために使用されるコードブックをユーザ機器に通知することによってさらに削減される。
【００１５】
可能な設計において、第１のＰＭＩから第ＮのＰＭＩの値は、それぞれ第１のコードブック中の１つのコードブックインデックスから第Ｎのコードブック中の１つのコードブックインデックスに対応する。１つのＰＭＩが各コードブックに対して使用され、各ＰＭＩはコードブック中の１つのコードブックインデックスに対応するので、ＰＭＩはより単純な情報要素を使用することによってレポートされることが可能であり、情報要素によって必要とされるビット数は少なくなり、ＰＭＩレポートの間シグナリングオーバーヘッドは減少する。
【００１６】
可能な設計において、第１のＰＭＩ、第２のＰＭＩ、及び第３のＰＭＩの値は、それぞれ第１のコードブック中の１つのコードブックインデックス、第２のコードブック中の１つのコードブックインデックス、及び第３のコードブック中の１つのコードブックインデックスに対応する。
【００１７】
可能な設計において、第１のコードブック、第２のコードブック、及び第３のコードブックのうちの少なくとも１つは、少なくとも２つのサブコードブックをさらに含み得る。コードブックをさらに分割する設計によれば、各コードブックの設計を簡略化してもよく、そのコードブックを他のコードブックと組み合わせてより柔軟に使用してもよい。任意選択的に、第１のコードブックは第１のサブコードブック及び／又は第２のサブコードブックを含み、第１のＰＭＩは第１のサブＰＭＩ及び第２のサブＰＭＩを含む。任意選択的に、第１のサブＰＭＩ、第２のサブＰＭＩ、第２のＰＭＩ、及び第３のＰＭＩの値はそれぞれ、第１のサブコードブック中の１つのコードブックインデックス、第２のサブコードブック中の１つのコードブックインデックス、第２のコードブック中の１つのコードブックインデックス、及び第３のコードブック中の１つのコードブックインデックスに対応する。
【００１８】
可能な設計において、第１のコードブックから第Ｎのコードブックは、ビーム選択に使用される少なくとも１つのコードブックを含む。任意選択的に、ビーム選択に使用されるコードブック中のプリコーディング行列は、Ｃ（Ｃ≧１）個のアンテナポートによってＫ（１≦Ｋ≦Ｃ）本のビームを形成するための重み付け行列である。Ｋ本のビームは、ビーム空間内の直交基底又は非直交基底のグループである。異なるビームセットは、コードブックから異なるプリコーディング行列を選択することによって選択されることができ、その結果、ユーザ機器は、ユーザ機器のチャネルによりよく適合するビームセットを選択する。任意選択的に、第１のコードブックはビーム選択に使用されてもよい。
【００１９】
可能な設計において、第１のコードブックから第Ｎのコードブックは、ビームベースのベクトル選択に使用される少なくとも１つのコードブックを含む。ビームベースのベクトル選択に使用されるコードブック中のプリコーディング行列は、Ｃ（Ｃ≧１）個のアンテナポートによってＸ（Ｘ≧１）本のビームを形成するための重み付け行列である。Ｘ本のビームは、ビーム空間内の直交基底又は非直交基底の少なくとも１つのグループである。任意選択的に、第１のサブコードブックはビームベースのベクトル選択に使用され、第２のサブコードブックはビーム選択に使用される。第２のサブコードブックにおけるプリコーディング行列は、Ｘ本のビームからＫ（１≦Ｋ≦Ｃ）本のビームを選択するための選択行列である。
【００２０】
可能な設計において、第１のコードブックから第Ｎのコードブックは、ビーム合成に使用される少なくとも１つのコードブックを含む。ビーム合成に用いられるコードブック中のプリコーディング行列は、少なくとも１つのビームを合成するための重み付け行列、例えば、Ｋ本のビームを合成するための重み付け行列である。任意選択的に、第２のコードブックはビーム合成に使用される。
【００２１】
可能な設計において、第１のコードブックから第Ｎのコードブックは、ビーム間振幅及び／又は位相補償に使用される少なくとも１つのコードブックを含む。ビーム間振幅及び／又は位相補償に使用されるコードブック中のプリコーディング行列は、異なるビーム間の振幅及び／又は位相補償用の行列である。異なるビーム間の振幅及び／又は位相補償は、異なる偏波方向にあるビーム間の振幅補償、異なる偏波方向にあるビーム間の位相補償、異なるアンテナパネルからのビーム間の振幅補償、及び異なるアンテナパネルからのビーム間の位相補償の少なくとも１つを含む。ビーム間振幅及び／又は位相補償に使用されるコードブックは、二重偏波アンテナアレイ及び／又はマルチパネルアンテナアレイ（Ｍｕｌｔｉ−ｐａｎｅｌ  ａｎｔｅｎｎａ  ａｒｒａｙ）の適用をサポートし得る。コードブックと他のコードブックが組み合わされて使用される場合、二重偏波アンテナアレイの適用はサポートされることができ、異なるアンテナパネルからのものであるアンテナポート又はビームの使用はサポートされることができる。これによりコードブックの設計が簡単になる。任意選択的に、第３のコードブックはビーム間振幅及び／又は位相補償に使用される。
【００２２】
第３の態様によれば、本出願はプリコーディングコードブック設計方法を提供する。プリコーディングコードブックは、ネットワークデバイスによってデータプリコーディングを実行するために、及び／又はユーザ機器によってＰＭＩをレポートするために使用される。プリコーディングコードブックはＮ段のコードブックを含み、Ｎは２以上の整数であり、Ｎ段のコードブックの各々は独立して使用されてもよく、又は他のコードブックと組み合わせて使用されてもよい。
【００２３】
可能な設計において、Ｎ段のコードブックは、ビームベースのベクトル選択に使用されるコードブック、ビーム選択に使用されるコードブック、ビーム合成に使用されるコードブック、偏波方向が異なるビーム間の差補償に使用されるコードブック、パネル間の差補償のためのコードブックのうちの少なくとも１つを含む。
【００２４】
可能な設計において、プリコーディングコードブックは、３段のコードブック、すなわち第１のコードブック、第２のコードブック、及び第３のコードブックを含む。任意選択的に、第１のコードブックはビーム選択に使用される。任意選択的に、第２のコードブックはビーム合成に使用される。任意選択的に、第３のコードブックはビーム間振幅及び／又は位相補償に使用される。
【００２５】
可能な設計において、プリコーディングコードブックは、４段のコードブック、すなわち第１のサブコードブック、第２のサブコードブック、第２のコードブック、及び第３のコードブックを含む。任意選択的に、第１のサブコードブックはビームベースのベクトル選択に使用され、第２のサブコードブックはビーム選択に使用される。任意選択的に、第２のコードブックはビーム合成に使用される。任意選択的に、第３のコードブックはビーム間振幅及び／又は位相補償に使用される。
【００２６】
第４の態様によれば、本出願の実施形態はユーザ機器を提供し、ユーザ機器は実際には前述の方法においてユーザ機器の動作を実施する機能を有する。機能は、ハードウェアにより実現されてもよく、又は対応するソフトウェアを実行することによりハードウェアにより実現されてもよい。ハードウェア又はソフトウェアは、機能に対応する１つ又は複数のモジュールを含む。
【００２７】
第５の態様によれば、本出願の実施形態はネットワークデバイスを提供し、ネットワークデバイスは実際には前述の方法においてネットワークデバイスの動作を実施する機能を有する。機能は、ハードウェアにより実現されてもよく、又は対応するソフトウェアを実行することによりハードウェアにより実現されてもよい。ハードウェア又はソフトウェアは、機能に対応する１つ又は複数のモジュールを含む。
【００２８】
第６の態様によれば、本出願の実施形態はユーザ機器を提供し、ユーザ機器の構造は受信機及び送信機を含み、受信機は、ユーザ機器が上記の方法でネットワークデバイスによって送信された情報及び／又はデータを受信する、例えば、ネットワークデバイスによって送信された指示情報を受信することをサポートするように構成され、送信機は、ユーザ機器が上記の方法で情報又はデータを送信する、例えば、ネットワークデバイスにＰＭＩを送信することをサポートするように構成される。可能な実装では、ユーザ機器はプロセッサをさらに含んでもよく、プロセッサは，ユーザ機器が上記の方法における対応する機能を実行することをサポートするように構成され、ユーザ機器はメモリをさらに含んでもよく、メモリはプロセッサと結合され、ユーザ機器に必要なプログラム命令及びデータを記憶するように構成される。
【００２９】
第７の態様によれば、本出願の実施形態は、ネットワークデバイスを提供し、ネットワークデバイスの構造は送信機及び受信機を含み、送信機及び受信機はネットワークデバイスとユーザ機器との間の通信をサポートするように構成され、送信機は、上記の方法において情報及び／又はデータをユーザ機器に送信する、例えば、指示情報を送信するように構成され、受信機は、ネットワークデバイスが上記の方法においてユーザ機器によって送信された情報及び／又はデータを受信する、例えば、ユーザ機器によって送信されたＰＭＩを受信することをサポートするように構成される。可能な設計では、ネットワークデバイスはプロセッサをさらに含んでもよく、プロセッサはネットワークデバイスが上記の方法において対応する機能を実行する、例えば、ユーザ機器に対してＰＭＩをレポートするように構成され、或いは可能な設計において、ネットワークデバイスはメモリをさらに含んでもよく、メモリはプロセッサと結合され、ネットワークデバイスに必要なプログラム命令及びデータを格納するように構成され、ネットワークデバイスは、他のネットワークデバイスとの通信、例えば、コアネットワークノードとの通信をサポートするように構成された通信ユニットをさらに含んでもよい。
【００３０】
第８の態様によれば、本出願の実施形態は、通信システムを提供し、システムは、上記の態様におけるネットワークデバイスとユーザ機器とを含む。
【００３１】
第９の態様によれば、本出願の実施形態は、上記のネットワーク装置によって使用されるコンピュータソフトウェア命令を記憶するように構成されたコンピュータ記憶媒体を提供する。コンピュータソフトウェア命令は、上記の態様を実行するために設計されたプログラムを含む。
【００３２】
第１０の態様によれば、本出願の実施形態は、上記のユーザ機器によって使用されるコンピュータソフトウェア命令を記憶するように構成されたコンピュータ記憶媒体を提供する。コンピュータソフトウェア命令は、上記の態様を実施するために設計されたプログラムを含む。
【００３３】
第１１の態様によれば、本出願はチップシステムを提供し、チップシステムは、上記の態様の機能を実施する際にユーザ機器をサポートする、例えば、上記の方法においてデータ及び／又は情報を生成又は処理するように構成されたプロセッサを含む。可能な設計において、チップシステムはメモリをさらに含み、メモリはユーザ機器に必要なプログラム命令及びデータを格納するように構成され、チップシステムはチップを含んでもよく、又はチップと別の個別のコンポーネントを含んでもよい。
【００３４】
第１２の態様によれば、本出願はチップシステムを提供し、チップシステムは、ネットワークデバイスが上記の態様において機能を実施する、例えば、上記の方法においてデータ及び／又は情報を受信又は処理することをサポートするように構成されたプロセッサを含む。可能な設計において、チップシステムはメモリをさらに含み、メモリはネットワークデバイスに必要なプログラム命令及びデータを格納するように構成され、チップシステムはチップを含んでもよく、又はチップと別の個別のコンポーネントを含んでもよい。
【００３５】
従来技術と比較して、本出願は、より多くの参照信号リソース構成シナリオをサポートし、ＰＭＩフィードバック方法を構成するために使用されるシグナリングオーバーヘッドを削減するために、複数段のコードブックを組み合わせて使用することによって、及び対応するＰＭＩフィードバック方法を使用することによってＰＭＩフィードバックの柔軟性を向上させ、より多くの参照信号リソース構成シナリオをサポートし、ＰＭＩフィードバック方法を構成するために使用されるシグナリングオーバーヘッドを削減するプリコーディング行列指示方法、装置、及びシステムを説明する。
【図面の簡単な説明】
【００３６】
以下、添付図面を参照して本出願の実施形態をより詳細に説明する。
【図１】図１は、本出願による可能な適用シナリオの概略図である。
【図２】図２は、本出願の実施形態によるプリコーディング行列指示方法の概略フローチャートである。
【図３】図３は、本出願の実施形態によるプリコーディング方法の概略フローチャートである。
【図４】図４は、本出願の実施形態による参照信号リソースとコードブックとの間の対応の概略図である。
【図５】図５は、本出願の実施形態による参照信号リソースとコードブックとの間の別の対応の概略図である。
【図６】図６は、本出願の実施形態による参照信号リソースとコードブックとの間のさらに別の対応関係の概略図である。
【図７】図７は、本出願の実施形態によるユーザ機器の概略構造図である。
【図８】図８は、本出願の実施形態によるネットワークデバイスの概略構造図である。
【図９】図９は、本出願の実施形態による別のプリコーディング行列指示方法の概略フローチャートである。
【発明を実施するための形態】
【００３７】
以下、本出願の実施形態における技術的解決策を本出願の実施形態における添付図面を参照して明確かつ十分に説明する。
【００３８】
本出願の実施形態で説明されているネットワークアーキテクチャ及びサービスシナリオは、本出願の実施形態における技術的解決策をより明確に説明することを意図しており、本出願の実施形態において提供される技術的解決策に対するいかなる限定も成さない。当業者は、ネットワークアーキテクチャの進化及び新しいサービスシナリオの出現と共に、本出願の実施形態において提供される技術的解決策が同様の技術的問題にも適用可能であることを理解するであろう。
【００３９】
本出願に記載された技術は、ロングタームエボリューション（Ｌｏｎｇ  Ｔｅｒｍ  Ｅｖｏｌｕｔｉｏｎ、ＬＴＥ）システム、及び第５世代移動通信（ｔｈｅ  ５ｔｈ  Ｇｅｎｅｒａｔｉｏｎ  ｍｏｂｉｌｅ  ｃｏｍｍｕｎｉｃａｔｉｏｎ、５Ｇ）システムなどの後続の進化型システム、又はプリコーディング技術を使用する必要がある別の無線通信システム、特に、柔軟なプリコーディング行列インジケータ（Ｐｒｅｃｏｄｉｎｇ  Ｍａｔｒｉｘ  Ｉｎｄｉｃａｔｏｒ、ＰＭＩ）のレポートを必要とする通信システムに適用可能であり得る。図１は、本出願による可能な応用シナリオの概略図である。ユーザ機器（Ｕｓｅｒ  Ｅθｕｉｐｍｅｎｔ、ＵＥ）は、無線インタフェースを使用してネットワークデバイスにアクセスして通信を実行するか、又は他のユーザ機器との通信、例えば、デバイス間通信（Ｄｅｖｉｃｅ  ｔｏ  Ｄｅｖｉｃｅ、Ｄ２Ｄ）又はマシンツーマシン（Ｍａｃｈｉｎｅ  ｔｏ  Ｍａｃｈｉｎｅ、Ｍ２Ｍ）シナリオでの通信を行ってもよい。ネットワークデバイスは、ユーザ機器と通信してもよく、又は他のネットワークデバイスとの通信、例えば、マクロ基地局とアクセスポイントとの間の通信を行ってもよい。本出願において、名詞「ネットワーク」及び「システム」は通常交互に使用されるが、当業者はそれらの意味を理解することができる。
【００４０】
本出願におけるユーザ機器は、様々なハンドヘルド機器、車載機器、ウェアラブル機器、コンピューティング機器、及び無線通信機能を有する制御機器、又は無線モデムに接続された他の処理装置、及び様々なＵＥ、移動局（Ｍｏｂｉｌｅ  ｓｔａｔｉｏｎ、ＭＳ）、端末（ｔｅｒｍｉｎａｌ）、及び端末機器（Ｔｅｒｍｉｎａｌ  Ｅθｕｉｐｍｅｎｔ）などを含み得る。説明を簡単にするために、これらのデバイスはまとめてユーザ機器（ＵＥ）と呼ばれる。
【００４１】
本出願におけるネットワークデバイスは、基地局（Ｂａｓｅ  Ｓｔａｔｉｏｎ、ＢＳ）、ネットワークコントローラ、移動交換局などを含む。無線チャネルを使用することによってユーザ機器と直接通信する装置は通常、基地局である。基地局は、様々なマクロ基地局、マイクロ基地局、中継ノード、アクセスノード、又は遠隔無線ユニット（Ｒｅｍｏｔｅ  Ｒａｄｉｏ  Ｕｎｉｔ、ＲＲＵ）などを含み得る。もちろん、無線通信機能を有する他のネットワーク機器もユーザ機器と無線通信を実行し得る。これは本出願において一意的に限定されない。基地局機能を有するデバイスは、異なるシステムにおいて異なる名称を有することがある。例えば、デバイスは、ＬＴＥネットワークでは発展型ノードＢ（ｅｖｏｌｖｅｄ  ＮｏｄｅＢ、ｅＮＢ又はｅＮｏｄｅＢ）と呼ばれ、デバイスは、第３世代（ｔｈｅ  ３ｒｄ  Ｇｅｎｅｒａｔｉｏｎ、３Ｇ）ネットワークではノードＢ（ＮｏｄｅＢ）と呼ばれ、デバイスは、５Ｇシステムなどのその後の発展型システムでは送信受信ポイント（Ｔｒａｎｓｍｉｓｓｉｏｎ  Ｒｅｃｅｐｔｉｏｎ  Ｐｏｉｎｔ、ＴＲＰ）と呼ばれる。
【００４２】
本出願において提供される技術的解決策は、ネットワークデバイスとユーザ機器との間、例えば、基地局とユーザ機器との間に適用可能であり得るか、又は送信データをプリコーディングする必要がある他の通信デバイス間に適用可能であり得る。説明を容易にするために、ネットワークデバイス及びユーザ機器は、本出願の実施形態における説明では例として使用される。
【００４３】
以下、本出願の実施形態におけるいくつかの一般的な概念又は定義を説明する。本明細書中のいくつかの英語の略語は、一例としてＬＴＥシステムを使用する本出願の実施形態についての説明であり、ネットワークの進化とともに変更することがあることに留意されたい。特定の進化については、対応する規格の説明を参照されたい。
【００４４】
本出願に記載のアンテナポート（ａｎｔｅｎｎａ  ｐｏｒｔ）は、物理チャネル又は信号を送信するように構成されている。アンテナポート上で送信されたシンボルが通過するチャネルは、同じアンテナポート上で送信された別のシンボルが通過するチャネルからの推論によって取得され得る。
【００４５】
本出願に記載されているビーム（ｂｅａｍ）は、所与の方向及び形状を有し、少なくとも１つのアンテナポートが無線信号を送信又は受信するときに空間内に形成される電波である。ビームは、少なくとも１つのアンテナポートによって送信又は受信されたデータを使用することによる振幅及び／又は位相の重み付けを通じて形成されてもよく、又はビームは、他の方法を使用することによって、例えば、アンテナユニットの関連パラメータを調整することによって形成されてもよい。
【００４６】
本出願に記載されているアンテナパネル（又は略して「パネル」）は、物理アンテナを搭載するように構成された装置である。１つのアンテナパネルが複数のアンテナユニットを含むアンテナアレイを担持してもよく、又は複数のアンテナパネルがマルチパネルアンテナアレイ（Ｍｕｌｔｉ−ｐａｎｅｌ  ａｎｔｅｎｎａ  ａｒｒａｙ）を形成してもよい。
【００４７】
本出願で説明されている参照信号リソースは、参照信号を送信するように構成されたアンテナポートと、アンテナポート上で使用される時間−周波数リソースである。１つの参照信号リソースは、少なくとも１つのアンテナポートと少なくとも１つのアンテナポートで使用される時間−周波数リソースとを含む。通常、チャネル状態情報−参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳ）など、チャネル状態情報の測定に使用される参照信号はシステム内に設定される。ＰＭＩのレポートに使用される参照信号は、通常ＣＳＩ−ＲＳであるか、又は他のタイプの参照信号又は他の信号であり得る。これは本出願では限定されない。説明を容易にするために、ＣＳ−ＲＳ及びＣＳＩ−ＲＳリソースは、本出願のいくつかの実施形態における説明のための例として使用される。
【００４８】
本出願に記載されている行列又はプリコーディング行列は、１つの行又は列を有するベクトルを含む。
【００４９】
本出願における用語「及び／又は」は、関連するオブジェクトを説明するための関連関係のみを説明し、３つの関係が存在し得ることを表す。例えば、Ａ及び／又はＢは、以下の３つの場合を表し得る：Ａのみが存在する、Ａ及びＢの両方が存在する、そしてＢのみが存在する。さらに、本明細書中の文字「／」は一般に、関連するオブジェクト間の「又は」関係を示す。
【００５０】
以下、添付の図面を参照して、本出願の実施形態において提供される解決策をより詳細に説明する。
【００５１】
図２は、本出願の実施形態によるプリコーディング行列指示方法の概略フローチャートである。
【００５２】
パート２０１：ユーザ機器は、ネットワーク機器によって送信された指示情報を受信し、指示情報は、ＰＭＩをレポートするためにユーザ機器によって使用されるコードブックに関する情報を含む。
【００５３】
一例では、指示情報は、少なくとも１つの参照信号リソースに対応するＰＭＩのレポート方法を含む。任意選択的に、レポート方法は、ＰＭＩをレポートするために使用されるコードブックをユーザ機器に示すことであってもよく、又はユーザ機器に、特定のＰＭＩ又はレポートされる必要がある特定のＰＭＩを示してもよい。例えば、指示情報は、第１のコードブックから第Ｎのコードブックのうちのどのコードブック又は複数のコードブックが参照信号リソースに特化したＰＭＩ又は複数のＰＭＩを決定するために使用される必要があるかをユーザ機器に示してもよく、或いは指示情報は、第１のＰＭＩから第ＮのＰＭＩのうちのどのＰＭＩ又は複数のＰＭＩが参照信号リソースに特化してレポートされる必要があるかをユーザ機器に示してもよい。第１のＰＭＩから第ＮのＰＭＩはそれぞれ、第１のコードブック中のプリコーディング行列から第Ｎのコードブック中のプリコーディング行列を示すために使用される。
【００５４】
第１のコードブックから第Ｎのコードブックは、参照信号リソース及び／又はチャネル情報のうちの少なくとも１つの要因に特化して設計され得る。例えば、あるコードブックはビーム選択に使用され、あるコードブックはビーム合成に使用され、あるコードブックはビーム間振幅及び／又は位相補償に使用される。このようにして、異なるシナリオに対応して、異なるコードブックの組合わせが使用のために選択され得る。
【００５５】
一例では、第１のコードブックから第Ｎのコードブックのそれぞれに対して１つのＰＭＩが使用され、第１のＰＭＩから第ＮのＰＭＩのＰＭＩの値は、第１のコードブック中の１つのコードブックインデックスから第Ｎのコードブック中の１つのコードブックインデックスにそれぞれ対応する。例えば、ｋ番目（１≦ｋ≦Ｎ）のＰＭＩの値は、ｋ番目のコードブック中のコードブックインデックスｉ（１≦ｉ≦Ｉ、ここでＩはｋ番目のコードブック中のコードブックインデックスの最大値である）と同じでもよく、従って、ｋ番目のＰＭＩは、Ｋ番目のコードブック中のコードブックインデックスｉに対応するプリコーディング行列を示す。
【００５６】
一例では、指示情報は、無線リソース制御（Ｒａｄｉｏ  Ｒｅｓｏｕｒｃｅ  Ｃｏｎｔｒｏｌ、ＲＲＣ）シグナリングなどの上位レイヤシグナリングであり得る。任意選択的に、指示情報は、ユーザ機器のアクセス中に送信されてもよく、又は要求、例えば、参照信号リソース構成の変更に依存するユーザ機器へとダイナミックに送信されてもよい。
【００５７】
一例では、すべての異なる参照信号リソースについて、第１のコードブックから第Ｎのコードブックのうちの少なくとも１つがＰＭＩのレポートに使用され、１つのコードブックセットのみがシステムにおいて維持される必要があり、異なる参照信号リソース構成は異なるコードブックの柔軟な組合わせを使用して使用される。
【００５８】
パート２０２：ユーザ機器は、指示情報に基づいてＰＭＩをレポートする。
【００５９】
ユーザ機器は、指示情報に示されたＰＭＩのレポート方法に従って、使用される必要があるコードブック及びＰＭＩを決定し、ＰＭＩをレポートする。例えば、ネットワークデバイスが、参照信号リソースに特有の、第１のコードブック及び第２のコードブックを使用する必要があること、又は第１のＰＭＩ及び第２のＰＭＩをレポートする必要があることをユーザ機器に示す場合、ユーザ機器は、第１のコードブックと第２のコードブックを使用することによって、参照信号リソースに特化した、第１のＰＭＩと第２のＰＭＩを決定してレポートする。
【００６０】
図３は、本出願の実施形態によるプリコーディング方法の概略フローチャートである。なお、図３のステップ及びそのステップのシーケンスは、例として使用されているだけであり、実際のシステムでは、一部のステップが省略されたり、シーケンスが変更されたりしてもよい。これは本出願では限定されない。
【００６１】
パート３０１：ネットワーク機器は、ユーザ機器についてのＣＳＩ−ＲＳリソースを決定し、ユーザ機器については、異なるＣＳＩ−ＲＳに特化したＰＭＩをレポートするために使用されるコードブックを決定する。
【００６２】
一例では、ネットワークデバイスは、ＣＳＩ−ＲＳが送信されるときにＣＳＩ−ＲＳがプリコーディングされるかどうかについてのケース、及び／又はＣＳＩ−ＲＳリソース中のアンテナポートの分布に依存するユーザ機器に対して、ＰＭＩのレポートに使用されたコードブックを決定し得る。例えば、ビームフォーミングされた（ｂｅａｍｆｏｒｍｅｄ）ＣＳＩ−ＲＳなどのプリコーディングされたＣＳＩ−ＲＳを送信するとき、ネットワークデバイスは、ビーム振幅及び／又は位相補償に使用されるコードブックを使用するようにユーザ機器に指示し、ユーザ機器は、ビームフォーミングに使用されるコードブックを使用しないこともある。別の例では、ＣＳＩ−ＲＳリソースが異なるパネル上のアンテナポートを含む場合、言い換えれば、ビームが異なるアンテナパネルから到来する場合、ネットワークデバイスはまた、異なるパネルからのビーム間の差補償を実行するように、ビーム間振幅及び／又は位相補償に使用されるコードブックを使用するようにユーザ機器に指示し得る。
【００６３】
パート３０２：ネットワークデバイスは、ユーザ機器に対し、ユーザ機器に割り当てられたＣＳＩ−ＲＳリソースを示す。
【００６４】
一例では、ネットワークデバイスは、各ユーザ機器に１つ又は複数のＣＳＩ−ＲＳリソースを割り当ててもよく、ＣＳＩ−ＲＳリソースは、異なるＰＭＩのレポート方法に対応してもよい。ネットワークデバイスは、ＣＳＩ−ＲＳリソース構成についてユーザ機器にダイナミックに通知し得る。
【００６５】
一例では、１つのＣＳＩ−ＲＳリソースは、少なくとも１つのアンテナポートと、そのアンテナポート上で使用される時間−周波数領域リソースとを含み得る。１つのＣＳＩ−ＲＳリソースが複数のアンテナポートを含む場合、これらのアンテナポートは同じ偏波方向又は異なる偏波方向のアンテナポートであってもよく、或いは同じアンテナパネル又は異なるアンテナパネルに分散されてもよい。
【００６６】
パート３０３：ネットワークデバイスはＣＳＩ−ＲＳを送信し、ユーザ機器は受信されたＣＳＩ−ＲＳに基づいてチャネル推定及び測定を実行し得る。
【００６７】
パート３０４：ネットワークデバイスは指示情報を送信するが、具体的な実装はパート２０１の説明と同じであり、詳細は本明細書では再度説明されない。
【００６８】
パート３０５：ユーザ機器は、チャネル推定及び測定結果を参照して、対応するコードブックを使用することによって、及び指示情報に基づいてＰＭＩを決定する。
【００６９】
パート３０６：ユーザ機器はＰＭＩをレポートするが、具体的な実装はパート２０２の説明と同じであり、詳細は本明細書では再度説明されない。
【００７０】
パート３０７：ネットワーク機器は、ユーザ機器によってレポートされたＰＭＩに基づいてダウンリンクデータをプリコーディングする。
【００７１】
パート３０８：ネットワークデバイスは、プリコーディングされたダウンリンクデータを送信する。
【００７２】
図２又は図３に対応するプリコーディングマトリクス指示方法を参照すると、図４は、本出願の実施形態による参照信号リソースとコードブックとの間の対応の概略図である。
【００７３】
図４に対応する実施形態では、例えば、システムは、第１のコードブックと第２のコードブックとを含み、すなわち、Ｎ＝２が説明のための例として使用される。
【００７４】
ネットワークデバイスは、ユーザ機器に対してＣＳＩ−ＲＳリソースのアンテナポートセットを事前設定し得る。アンテナポートセットはＭ（Ｍ≧１）個のアンテナポートを含み、Ｃ1（Ｃ1≧１）個のアンテナポートがＣＳＩ−ＲＳリソース１を形成するためにポートセットから選択され、Ｃ2（Ｃ2≧１）個のアンテナポートがＣＳＩ−ＲＳリソース２を形成するために選択される。
【００７５】
この実施形態では、第１のコードブックはビーム選択のために使用される。任意選択的に、第１のコードブック中のプリコーディング行列は、Ｃ（Ｃ≧１）個のアンテナポートによってＫ（１≦Ｋ≦Ｃ）個のビームを形成するための重み付け行列である。第１のコードブックから異なるプリコーディング行列を選択することによって異なるビームセットを選択することができ、その結果、ユーザ機器は、ユーザ機器のチャネルによりよく適合するビームセットを選択する。任意選択的に、第１のコードブック中のプリコーディング行列は、第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）ＴＳ３６．２１１  Ｖ１３．０．０において、オーバーサンプリング離散フーリエ変換（ｄｉｓｃｒｅｔｅ  ｆｏｕｒｉｅｒ  ｔｒａｎｓｆｏｒｍ、ＤＦＴ）行列、例えば、シグナリングｅＭＩＭＯタイプが「クラスＡ」として構成されている場合の第１のＰＭＩに対応するプリコーディング行列であり得る。ユーザ機器は、ＣＳＩ−ＲＳリソースのアンテナポートの量と選択される必要があるビームの量とに基づいて、第１のコードブックからプリコーディング行列を選択し得る。具体的には、ＣＳＩ−ＲＳリソース１については、第１のコードブックにおいて、Ｃ1個のアンテナポートによってＫ（１≦Ｋ≦Ｃ）本のビームを形成するために、重み行列において選択が行われ、ＣＳＩ−ＲＳリソース２に関しては、第１のコードブックにおいて、Ｃ2個のアンテナポートによってＫ（１≦Ｋ≦Ｃ）本のビームを形成するために、重み行列において選択が行われる。
【００７６】
第２のコードブックはビーム合成に使用される。第２のコードブックのプリコーディング行列は、少なくとも１つのビームを合成するための重み付け行列である。例えば、第２のコードブックは、Ｋ本のビームを組み合わせるための重み付け行列であり得る。任意選択的に、第２のコードブック中のプリコーディング行列は、シグナリングｅＭＩＭＯタイプが３ＧＰＰ  ＴＳ３６．２１１  Ｖ１３．０．０で「クラスＢ」として構成されている場合に使用されるコードブック中のプリコーディング行列であってもよく、又はビーム重み付け行列、例えば、以下の行列であってもよい。
【００７７】
【数１】
2019537874.tif 000003
【００７８】
ｗi，ｉ＝１，・・・、ＬはＣ×１の列ベクトルであり、重み係数を表し、Ｃはアンテナポートの数であり、Ｌは１以上の整数であり、データを送信するためのレイヤの数を表す。ユーザ機器は、この実施形態におけるＣ1又はＣ2などのＣＳＩ−ＲＳリソースのアンテナポートの数及びデータを送信するためのレイヤの数に基づいて、第２のコードブックからプリコーディング行列を選択し得る。
【００７９】
ネットワークデバイスは、ユーザ機器に対して、各ＣＳＩ−ＲＳリソースに使用されるコードブックを決定し、指示情報を使用することによってコードブックをユーザ機器に通知する。任意選択的に、ネットワークデバイスはまた、ＣＳＩ−ＲＳリソースを構成するためのシグナリング（例えば、ＲＲＣシグナリング）で使用されているコードブックを示してもよい。各コードブックは、コードブック中の１つのプリコーディング行列を示すために、１つのＰＭＩのみをレポートするために使用される。
【００８０】
具体的な例では、プリコーディングされていない（ｎｏｎ−ｐｒｅｃｏｄｅｄ）ＣＳＩ−ＲＳリソースの場合、第１のコードブックのみ、又は第１のコードブックと第２のコードブックの両方がＰＭＩのレポートに使用され得る。ビームフォーミングされたＣＳＩ−ＲＳリソースの場合、第２のコードブックのみ、又は第１のコードブックと第２のコードブックの両方がＰＭＩのレポートに使用され得る。
【００８１】
この実施形態では、ＣＳＩ−ＲＳリソース１はプリコーディングされていないＣＳＩ−ＲＳリソースであり、ＣＳＩ−ＲＳリソース２はビームフォーミングされたＣＳＩ−ＲＳリソースである。ネットワークデバイスは、ＣＳＩ−ＲＳリソース１に関して、第１のコードブックが第１のＰＭＩをレポートするために使用されることを決定する。ＣＳＩリソース２の場合、第１のコードブック及び第２のコードブックは、第１のＰＭＩ及び第２のＰＭＩをレポートするために使用される。ＣＳＩ−ＲＳリソース１に基づいてチャネル推定を実行した後に、ユーザ機器は、信号対干渉雑音比最大化基準に基づいて、第１のコードブック中の特定の使用対象のプリコーディング行列を決定してもよく、レポートされる必要がある第１のＰＭＩの値を決定してもよい。ＣＳＩ−ＲＳリソース２に基づいてチャネル推定を実行した後に、ユーザ機器は、信号対干渉雑音比最大化基準に基づいて、第１のコードブック中の特定の使用対象のプリコーディング行列及び第２のコードブック中の特定の使用対象のプリコーディング行列を決定してもよく、またレポートされる必要がある第１のＰＭＩの値及びレポートされる必要がある第２のＰＭＩの値を決定してもよい。
【００８２】
ＣＳＩ−ＲＳリソース１及びＣＳＩ−ＲＳリソース２についてレポートされる必要があるＰＭＩを決定した後、ユーザ機器は、決定されたＰＭＩをレポートする。
【００８３】
図２又は図３に対応するプリコーディングマトリクス指示方法を参照すると、図５は、本出願の実施形態による参照信号リソースとコードブックとの間の別の対応の概略図である。
【００８４】
図５に対応する実施形態では、例えば、システムは、第１のサブコードブック、第２のサブコードブック、及び第２のコードブックを含み、すなわち、Ｎ＝３が説明のための例として使用される。
【００８５】
ネットワークデバイスは、ユーザ機器のためのＣＳＩ−ＲＳリソースのアンテナポートセットを事前設定し得る。アンテナポートセットはＭ（Ｍ≧１）個のアンテナポートを含み、Ｃ1（Ｃ1≧１）個のアンテナポートはＣＳＩ−ＲＳリソース１を形成するためにポートセットから選択され、Ｃ2（Ｃ2≧１）個のアンテナポートはＣＳＩ−ＲＳリソース２を形成するために選択される。ＣＳＩ−ＲＳリソース２、及びＣ3（Ｃ3≧１）個のアンテナポートは、ＣＳＩ−ＲＳリソース３を形成するために選択される。
【００８６】
この実施形態では、ビーム選択は、２つのコードブック、すなわち第１のサブコードブックと第２のサブコードブックとを組み合わせて使用することによって実施される。第１のサブコードブックはビームベースのベクトル選択に使用される。第１のサブコードブック中のプリコーディング行列は、Ｃ（Ｃ≧１）個のアンテナポートでＸ（１≦Ｘ）本のビームを形成するための重み行列である。Ｘ本のビームは、ビーム空間内の直交基底又は非直交基底の少なくとも１つのグループである。任意選択的に、第１のサブコードブックの具体的な形態は、上記の実施形態における第１のコードブックの形態と同じであってもよく、詳細は本明細書で再び説明されない。さらに、第１のサブコードブックは、代替的に直交ＤＦＴ行列であり得る。第１のサブコードブックのためのユーザ機器によって使用される方法は、上記の実施形態における第１のコードブックのために使用される方法と同じであり、相違点は、Ｘ本のビームが第１のサブコードブックを使用することによって選択されることだけである。
【００８７】
第２のサブコードブックはビーム選択に使用される。第２のサブコードブックにおけるプリコーディング行列は、Ｘ本のビームからＫ（１≦Ｋ≦Ｃ）本のビームを選択するための選択行列である。任意選択的に、第２のサブコードブック中のプリコーディング行列は、Ｘ本のビームからＫ本のビームを選択するように、Ｋ個の非ゼロ要素を含む行列として設計し得る。ユーザ機器は、Ｘ及びＫの値と、ユーザ機器によって使用される必要があるビームとに基づいて、第２のサブコードブックからプリコーディング行列を選択し得る。
【００８８】
第２のコードブックはビーム合成に用いられるものであり、第２のコードブックにおけるプリコーディング行列の式及び使用方法は、上記の実施形態における第２のコードブックと同様である。
【００８９】
ネットワークデバイスは、ユーザ機器に対して、各ＣＳＩ−ＲＳリソースに使用されるコードブックを決定し、指示情報を使用することによってコードブックをユーザ機器に通知する。具体的な実施については、図４の実施形態の説明を参照されたい。
【００９０】
具体的な例では、プリコーディングされていない（ｎｏｎ−ｐｒｅｃｏｄｅｄ）ＣＳＩ−ＲＳリソースの場合、第１のサブコードブック及び第２のサブコードブック、或いは第１のサブコードブック、第２のサブコードブック、及び第２のコードブックのすべては、ＰＭＩのレポートに使用され得る。ビームフォーミングされたＣＳＩ−ＲＳリソースの場合、第２のコードブックのみ、又は第１のサブコードブック、第２のサブコードブック、及び第２のコードブックのすべてがＰＭＩのレポートに使用され得る。
【００９１】
この実施形態では、ＣＳＩ−ＲＳリソース１はプリコーディングされていないＣＳＩ−ＲＳリソースであり、ＣＳＩ−ＲＳリソース２及びＣＳＩ−ＲＳリソース３はビームフォーミングされたＣＳＩ−ＲＳリソースである。ネットワークデバイスは、ＣＳＩ−ＲＳリソース１に対して、第１のサブコードブック及び第２のサブコードブックが第１のサブＰＭＩ及び第２のサブＰＭＩをレポートするために使用されることを決定する。ＣＳＩ−ＲＳリソース２に対して、第１のサブコードブック、第２のサブコードブック、及び第２のコードブックが第１のサブＰＭＩ、第２のサブＰＭＩ、及び第２のＰＭＩをレポートするために使用される。ＣＳＩ−ＲＳリソース３の場合、第２のコードブックが第２のＰＭＩをレポートするために使用される。ユーザ機器は、異なるＣＳＩ−ＲＳリソースを用いてチャネル推定を行い、指示情報に基づいて、対応するコードブックから使用対象のプリコーディング行列を決定する。具体的な実施方法については、図４に対応する実施形態を参照されたい。この実施形態では、第１のサブコードブック及び第２のサブコードブックを使用する場合、ユーザ機器はまた、信号対干渉雑音比最大化基準に基づいて、使用される必要がある特定のプリコーディング行列を決定し得る。
【００９２】
ユーザ機器は、ＣＳＩ−ＲＳリソース１に対応する第１のサブＰＭＩ及び第２のサブＰＭＩと、ＣＳＩ−ＲＳリソース２に対応する第１のサブＰＭＩ、第２のサブＰＭＩ、及び第２のＰＭＩと、ＣＳＩ−ＲＳリソース３に対応する第２のＰＭＩを決定し、これらのＰＭＩをネットワークデバイスにレポートする。
【００９３】
図２又は図３に対応するプリコーディングマトリクス指示方法を参照すると、図６は、本出願の実施形態による参照信号リソースとコードブックとの間のさらに別の対応の概略図である。
【００９４】
図６に対応する実施形態では、例えば、システムは、第１のコードブック、第２のコードブック、及び第３のコードブックを含み、すなわち、Ｎ＝３が説明のための例として使用される。
【００９５】
ＣＳＩ−ＲＳリソース１に対応するコードブック及びＰＭＩを決定する処理は、図４のＣＳＩ−ＲＳリソース２に対応するコードブック及びＰＭＩを決定する処理と同じである。
【００９６】
本実施形態では、ＣＳＩ−ＲＳリソース２に対応して使用される第２のコードブック及び第２のＰＭＩを決定する処理は、図５のＣＳＩ−ＲＳリソース２に対応して使用される第２のコードブック及び第２のＰＭＩを決定する処理と同じである。さらに、ＣＳＩ−ＲＳリソース２は、異なる偏波方向にあるビームをさらに含む。従って、異なる偏波方向にあるビーム間の振幅差及び／又は位相差を補償するために、第３のコードブックをさらに使用して第３のＰＭＩをフィードバックし得る。
【００９７】
ＣＳＩ−ＲＳリソース３に使用されるアンテナポートは、異なるアンテナパネルに分散されている、すなわち、ＣＳＩ−ＲＳリソース３に対応するビームは、異なるアンテナパネルから到来する。このタイプのＣＳＩ−ＲＳリソースの場合、異なるアンテナパネルのビーム間の振幅差及び／又は位相差を補償するために、第３のコードブックを使用して第３のＰＭＩをフィードバックし得る。
【００９８】
第１のコードブック及び第２のコードブックの機能及び設計方法については、図４に対応する実施形態を参照されたい。
【００９９】
第３のコードブックは、ビーム間振幅及び／又は位相補償に使用される。第３のコードブック中のプリコーディング行列は、異なるビーム間の振幅及び／又は位相補償のための行列である。異なるビーム間の振幅及び／又は位相補償は、異なる偏波方向にあるビーム間の振幅補償、異なる偏波方向にあるビーム間の位相補償、異なるアンテナパネルからのビーム間の振幅補償、及び異なるアンテナパネルからのビーム間の位相補償の少なくとも１つを含む。任意選択的に、第３のコードブック中のプリコーディング行列は、上記の実施形態における第２のコードブックと同じ式で設計し得る。相違点は、第３のコードブック中のプリコーディング行列の要素がビーム間振幅及び／又は位相補償に使用され、各要素が振幅係数及び／又は位相係数であり得ることである。任意選択的に、第３のコードブック中のプリコーディング行列中の要素も線形増分位相特性を有してもよく、例えば、W=[w1 w2 … wL]において、次式が満たされる。
【０１００】
【数２】
2019537874.tif 000004
【０１０１】
なお、変数の意味は、図４の実施形態のものと同じである。
【０１０２】
任意選択的に、第３のコードブックは、代替として、実装のために少なくとも２つのサブコードブックに分割されてもよい。例えば、第３のコードブックは、第３のサブコードブックと第４のサブコードブックとを含み得る。第３のサブコードブックは、異なる偏波方向にあるビーム間の振幅及び／又は位相補償に使用され、第４のサブコードブックは、異なるパネルからのビーム間の振幅及び／又は位相補償に使用される。第３のサブコードブック及び／又は第４のサブコードブックにおけるプリコーディング行列については、第３のコードブックにおけるプリコーディング行列と同様の設計方法を用いてもよい。第３のサブコードブック及び第４のサブコードブックは、それぞれ第３のサブＰＭＩ及び第４のサブＰＭＩに対応する。具体的な指示方法については、前述の他のコードブックに関する説明を参照されたい。
【０１０３】
この実施形態では、ネットワークデバイスは、ＣＳＩ−ＲＳリソース１に対し、第１のコードブック及び第２のコードブックが第１のＰＭＩ及び第２のＰＭＩをレポートするために使用される必要があると判定し、ＣＳＩ−ＲＳリソース２に対し、第２のコードブック及び第３のコードブックは、第２のＰＭＩ及び第３のＰＭＩをレポートするために使用される必要があると判定し、またＣＳＩ−ＲＳリソース３に対し、第１のコードブック、第２のコードブック、及び第３のコードブックが第１のＰＭＩ、第２のＰＭＩ、及び第３のＰＭＩをレポートするために使用される必要があると判定する。第１のコードブック及び第２のコードブックの使用、設計及び使用方法は、図４の実施形態の場合と同じである。ユーザ機器は、信号対干渉雑音比最大化基準に基づいて、第３のコードブック中のＣＳＩ−ＲＳリソース２に使用される特定のプリコーディング行列、ＣＳＩ−ＲＳリソース２に対応する第３のＰＭＩの値、第３のコードブック中のＣＳＩ−ＲＳリソース３に使用される特定のプリコーディング行列、及びＣＳＩ−ＲＳリソース３に対応する第３のＰＭＩの値を決定してもよい。次に、ＣＳＩ−ＲＳリソース１に対応するＰＭＩと、ＣＳＩ−ＲＳリソース２に対応するＰＭＩと、ＣＳＩ−ＲＳリソース３に対応するＰＭＩとがレポートされる。
【０１０４】
この実施形態におけるＣＳＩ−ＲＳリソースを決定し、ＰＭＩを決定してレポートする他のプロセスについては、図４又は図５に対応する実施形態を参照されたい。詳細は本明細書では再度説明しない。
【０１０５】
任意選択的に、前述の実施形態における第１のコードブックから第Ｎのコードブックのうちの任意の１つ又は複数のコードブックは、実装のためにより多くのサブコードブックにさらに分割され得る。対応して、各サブコードブックは１つのサブＰＭＩに対応し、各ＰＭＩはサブコードブック中の１つのプリコーディング行列インデックスに対応する。例えば、前述の実施形態においてビーム選択のために使用される第１のコードブックは、実装のために第１のサブコードブックと第２のサブコードブックとに分割されてもよい。他の例として、前述の実施形態における第３のコードブックは、実装のために第３のサブコードブックと第４のサブコードブックに分割されてもよい。
【０１０６】
任意選択的に、前述の実施形態における第１のコードブックから第Ｎのコードブックのうちの任意の２つ以上のコードブックは、１つのコードブックが１つのＰＭＩに対応するように組み合わせて設計し得る。例えば、図６に対応する実施形態では、第２のコードブックと第３のコードブックは、１つのコードブックを使用してビーム合成及びビーム間差補償を実施するように組み合わせて設計してもよく、或いは、第２のコードブックと第３のサブコードブックは、１つのコードブックを用いてビームの組み合わせて及び異なる偏波方向にあるビーム間の差補償を実施するように組み合わせて設計してもよい。同様に、第２のコードブックと第４のサブコードブックも１つのコードブックを使用してビームを組み合わせて及び異なるパネルからのビーム間の差分補償を実施するように組み合わせて設計してもよい。
【０１０７】
任意選択的に、本出願で提供される解決策は、従来技術におけるコードブック及びＰＭＩのレポート方法と組み合わせて使用することもできる。例えば、既存のＬＴＥシステムのＰＭＩのレポート方針に基づいて、上記の実施形態における第３のコードブック（第３のサブコードブック及び／又は第４のサブコードブック）が追加され、補償が実行される必要がある場合、指示情報を使用することによって、ユーザ機器は、第３のコードブックを使用することによって対応するＰＭＩをレポートするように指示される。このようにして、既存のＰＭＩのレポート方針を使用しながら、システムは、現在のシナリオに適応するように、より多くのシナリオにおいてＰＭＩのレポートを実行するためにどのコードブックをさらに使用するかをユーザ機器に指示することができる。
【０１０８】
図９は、本出願の実施形態による別のプリコーディング行列指示方法の概略フローチャートである。ネットワークデバイスは、ユーザ機器のために少なくとも２つのＣＳＩ−ＲＳリソースを設定し、異なるＣＳＩ−ＲＳリソースを使用することによってＰＭＩがレポートされるときに使用されるコードブックに関する情報をユーザ機器に示すための指示情報を送信し得る。ユーザ機器は、ネットワークデバイスの指示情報に基づいて、異なるＣＳＩ−ＲＳリソース及び対応するコードブックを使用することによってＰＭＩを決定し、ＰＭＩをネットワークデバイスにレポートする。ネットワークデバイスは、ユーザ機器によってレポートされたＰＭＩに基づいてデータをプリコーディングする。図９に対応する実施形態では、説明のために、ネットワークデバイスがユーザ機器に対する２つのＣＳＩ−ＲＳリソースを設定する例が使用される。加えて、ネットワークデバイスはＮ（Ｎ≧１）個のアンテナパネルを含み、各アンテナパネルはＭ（Ｍ≧１）個のＣＳＩ−ＲＳアンテナポートを含み、Ｍ個のＣＳＩ−ＲＳアンテナポートは交差偏波アンテナポート及び／又は単一の偏波アンテナポートを含み得、ＣＳＩ−ＲＳアンテナポートは、ＣＳＩ−ＲＳを送信するために使用することができるアンテナポートであり、各アンテナポートは、１つの物理アンテナユニット又は少なくとも２つの物理アンテナユニットを含むアンテナアレイを使用することによって実装し得ることを想定している。
【０１０９】
任意選択的に、パート９０１において、ネットワークデバイスは、ＣＳＩ−ＲＳリソース１、及びＣＳＩ−ＲＳリソース１を使用することによって第１のＰＭＩをレポートするために使用される第１のコードブックＣ1を決定し、ＣＳＩ−ＲＳリソース２、及びＣＳＩ−ＲＳリソース２を使用することによって第２のＰＭＩをレポートするために使用される第２のコードブックＣ2を決定する。ネットワークデバイスによってＣＳＩ−ＲＳリソースを決定する具体的な方法については、パート３０１の説明を参照されたい。
【０１１０】
具体的な例では、ＣＳＩ−ＲＳリソース１は、プリコーディングされていない（ｎｏｎ−ｐｒｅｃｏｄｅｄ）ＣＳＩ−ＲＳリソースであり得、ＣＳＩ−ＲＳリソース１は、１つのアンテナパネルからのものであるＭ’（Ｍ’≦Ｍ）個のＣＳＩ−ＲＳアンテナポートを含み得る。この場合、ＣＳＩ−ＲＳリソース１を用いて第１のＰＭＩをレポートするために使用される第１のコードブックＣ1は、ビーム選択、ビーム合成、ビーム間振幅補償、及びビーム間位相補償の少なくとも１つの機能を実現するために使用されるコードブックであり得る。任意選択的に、第１のコードブックＣ1中のプリコーディング行列Ｗは、Ｗ＝Ｗ1Ｗ2を満たす。任意選択的に、Ｗ1は、オーバーサンプリング離散フーリエ変換（ｄｉｓｃｒｅｔｅ  ｆｏｕｒｉｅｒ  ｔｒａｎｓｆｏｒｍ、ＤＦＴ）行列、例えば、シグナリングｅＭＩＭＯタイプが第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）ＴＳ３６．２１３  Ｖ１３．０．０で「クラスＡ」として設定されている場合にＰＭＩを決定するために使用されるプリコーディング行列であり得る。任意選択的に、Ｗ2は、シグナリングｅＭＩＭＯタイプがＴＳ３６．２１３  Ｖ１３．０．０において「クラスＢ」として設定されている場合にＰＭＩを決定するために使用されるプリコーディング行列であり得る。
【０１１１】
別の具体的な例では、ＣＳＩ−ＲＳリソース１は、プリコーディングされた（ｐｒｅｃｏｄｅｄ）ＣＳＩ−ＲＳリソースであり得、ＣＳＩ−ＲＳリソース１は、１つのアンテナパネルからのものであるＭ’（Ｍ’≦Ｍ）個のＣＳＩ−ＲＳアンテナポートを含み得る。この場合、ＣＳＩ−ＲＳリソース１を用いて第１のＰＭＩをレポートするために使用される第１のコードブックＣ1は、ビーム合成、ビーム間振幅補償、及びビーム間位相補償の機能の少なくとも１つを実施するために使用されるコードブックであり得る。任意選択的に、第１のコードブックＣ1中のプリコーディング行列Ｗは、Ｗ＝ＷBを満たす。例えば、ＷBは、シグナリングｅＭＩＭＯタイプがＴＳ３６．２１３  Ｖ  １３．０．０において「クラスＢ」として設定されている場合にＰＭＩを決定するために使用されるプリコーディング行列であり得る。
【０１１２】
さらに別の例では、ＣＳＩ−ＲＳリソース１は、Ｎ’（Ｎ’≦Ｎ）個のＣＳＩ−ＲＳリソースを含み得、Ｎ’個のＣＳＩ−ＲＳリソースは、プリコーディングされていないＣＳＩ−ＲＳリソース及び／又はプリコーディングされたＣＳＩ−ＲＳリソースを含み、Ｎ’個のＣＳＩ−ＲＳリソースは、Ｎ’個のアンテナパネルからのＣＳＩ−ＲＳアンテナポートを含む。具体的には、Ｎ’個のＣＳＩ−ＲＳリソースのうちの１つは、１つのアンテナパネルからのものであるＭ’（Ｍ’≦Ｍ）個のＣＳＩ−ＲＳアンテナポートを含み、異なるＣＳＩ−ＲＳリソースのＣＳＩ−ＲＳアンテナポートは、異なるアンテナパネルから来ている。この場合、ユーザ機器は、ＣＳＩ−ＲＳリソース１のＮ’個のＣＳＩ−ＲＳリソースを用いて第１のコードブックＣ1中のＮ’個の第１のＰＭＩを個別に決定する。異なるＣＳＩ−ＲＳリソースは、異なる第１のコードブックに対応し得る。ＣＳＩ−ＲＳリソース１の異なるタイプのＣＳＩ−ＲＳリソースに対応する第１のコードブックＣ1の選択及び特徴については、前述の２つの具体例における説明を参照されたい。
【０１１３】
パート９０１の３つの具体例のいずれかを参照すると、具体例において、ＣＳＩ−ＲＳリソース２は、プリコーディングされたＣＳＩ−ＲＳリソースであってもよい。ＣＳＩ−ＲＳリソース２は、Ｎ’（Ｎ’≦Ｎ）個のＣＳＩ−ＲＳアンテナポートを含む。異なるＣＳＩ−ＲＳアンテナポートは異なるアンテナパネルからのものであり、同じアンテナパネル上のアンテナユニット又はアンテナポートは１つのビームを形成してもよく、ＣＳＩ−ＲＳリソース２中の１つのＣＳＩ−ＲＳアンテナポートに対応する。任意選択的に、ネットワークデバイスは、ＣＳＩ−ＲＳリソース２上で送信されるＣＳＩ−ＲＳを取得するために、ユーザ機器によってフィードバックされた第１のＰＭＩに基づいて、Ｎ’個のアンテナパネル上にあるＣＳＩ−ＲＳアンテナポートをプリコードする。この場合、ＣＳＩ−ＲＳリソース２を使用することによって第２のＰＭＩをフィードバックするために使用される第２のコードブックＣ2は、ビーム間位相補償、ビーム間振幅補償、異なるアンテナパネルから到来するビーム間の位相補償、及び異なるアンテナパネルから到来するビーム間の位相補償の機能のうちの少なくとも１つを実施するために使用されるコードブックであり得る。第２のコードブックＣ2中のプリコーディング行列Ｗ’は、以下の式を満たし得る。
【０１１４】
【数３】
2019537874.tif 000005
【０１１５】
ｃ1，…，ｃN’は、以下の式のうちの一つを満たし得る。
【０１１６】
【数４】
2019537874.tif 000006
【０１１７】
ａ1，…，ａN’は、振幅係数であり、ａ1，…，ａN’の値は、異なる量子化規則に従って選択し得る。例えば、ａ1，…，ａN’の値は、集合｛０，１｝中の値であってもよく、ａ1，…，ａN’内では１は１個のみであり、残りの要素は０である。他の例では、ｘビット（ｘ≧１）量子化がａ1，…，ａN’の値に対し［０，１］間で実行されてもよい。例えば、ｘ＝２のとき、ａ1，…，ａN’の値は、集合｛０．２５，０．５，０．７５，１｝中の値であり得る。θ1，…，θN’-1は位相係数であり、θ1，…，θN’-1の値は、異なる量子化規則に応じて［０，２π］間で選択し得る。例えば、２ビットの量子化が［０，２π］間で実行されてもよい。言い換えれば、θ1，…，θN’-1の値は、集合｛１，−１，＋ｊ，−ｊ｝中の要素であってもよい。他の例では、３ビット量子化が［０，２］間で実行されてもよく、θ1，…，θN’-1の値は、以下であってもよく、ｊは虚数単位である。
【０１１８】
【数５】
2019537874.tif 000007
【０１１９】
３つの具体例のうちのいずれか１つを参照すると、ＣＳＩ−ＲＳリソース１について、パート９０１において、別の具体例では、ＣＳＩ−ＲＳリソース２はプリコーディングされたＣＳＩ−ＲＳリソースであり得る。ＣＳＩ−ＲＳリソース２は、２Ｎ’（Ｎ’≦Ｎ）個のＣＳＩ−ＲＳアンテナポートを含む。ＣＳＩ−ＲＳアンテナポートは、２つごとに同じアンテナパネルからのものであるが、その２つのＣＳＩ−ＲＳアンテナポートと他のアンテナポートは異なるアンテナパネルからのものである。同じアンテナパネル上の同じ偏波方向のアンテナユニット又はアンテナポートは、１本のビームを形成してもよく、ＣＳＩ−ＲＳリソース２中の１つのＣＳＩ−ＲＳアンテナポートに対応する。各アンテナパネル上の２つの偏波方向のアンテナユニット又はアンテナポートは、２本のビームを形成してもよく、ＣＳＩ−ＲＳリソース２中の同じアンテナパネルからのものである２つのＣＳＩ−ＲＳアンテナポートに対応する。任意選択的に、ネットワークデバイスは、ユーザ機器によってフィードバックされた第１のＰＭＩに基づいて、Ｎ’個のアンテナパネル上にあるＣＳＩ−ＲＳアンテナポートをプリコーディングして、ＣＳＩ−ＲＳリソース２で送信されるＣＳＩ−ＲＳを取得する。この場合、ＣＳＩ−ＲＳリソース２を使用することによって第２のＰＭＩをフィードバックするために使用される第２のコードブックＣ2は、ビーム間位相補償、ビーム間振幅補償、異なるアンテナパネルから到来するビーム間の位相補償、及び異なるアンテナパネルから到来するビーム間の位相補償の機能のうちの少なくとも１つを実施するために使用されるコードブックであってもよい。第２のコードブックＣ2中のプリコーディング行列Ｗ’は、以下の式を満たし得る。
【０１２０】
【数６】
2019537874.tif 000008
【０１２１】
ｃi,1，ｉ＝１、．．．Ｎ’は、ｉ番目のアンテナパネル上の第１の偏波方向のアンテナユニット又はアンテナポートを含むＣＳＩ−ＲＳアンテナポートに対応する補償係数を表し、ｃi,1，ｉ＝１、．．．Ｎ’の式は、ｃ1，…，ｃN’のと同じであってもよい。ｃi,2，ｉ＝１、．．．Ｎ’は、ｉ番目のアンテナパネル上の第２の偏波方向のアンテナユニット又はアンテナポートを含むＣＳＩ−ＲＳアンテナポートに対応する補償係数を表し、ｃi,2，ｉ＝１、．．．Ｎ’の式は、ｃi，…，Ｎ’と同じであってもよい。詳細は本明細書では再度説明しない。第１の偏波方向と第２の偏波方向とは、同じ偏波方向でもよいし、異なる偏波方向でもよい。
【０１２２】
３つの具体例のうちのいずれか１つを参照すると、ＣＳＩ−ＲＳリソース１について、パート９０１において、さらに別の具体例では、ＣＳＩ−ＲＳリソース２はプリコーディングされたＣＳＩ−ＲＳリソースであり得る。ＣＳＩ−ＲＳリソース２は、ＣＳＩ−ＲＳリソース２に関する上記の２つの具体例にある２つのタイプのＣＳＩ−ＲＳアンテナポートを含む。具体的には、ＣＳＩ−ＲＳリソース２は、１つのＣＳＩ−ＲＳアンテナポートを含み、ＣＳＩ−ＲＳアンテナポートは、１つのアンテナパネル上にあるＭ’（Ｍ’≦Ｍ）個のＣＳＩ−ＲＳアンテナポート又はアンテナユニットを含み、ＣＳＩ−ＲＳリソース２中のＣＳＩ−ＲＳアンテナポート及び別のＣＳＩ−ＲＳアンテナポートとは異なるアンテナパネルからのものである。また、ＣＳＩ−ＲＳリソース２は、他の２つのＣＳＩ−ＲＳアンテナポートをさらに含む。２つのＣＳＩ−ＲＳアンテナポートは別のアンテナパネルからのものであるが、ＣＳＩ−ＲＳリソース２中の２つのＣＳＩ−ＲＳアンテナポートと別のＣＳＩ−ＲＳアンテナポートは異なるアンテナパネルからのものである。他のアンテナパネル上の同じ偏波方向のアンテナユニット又はアンテナポートは、１つのビームを形成し、２つのＣＳＩ−ＲＳアンテナポートのうちの１つを形成し得る。この場合、第２のコードブックＣ2中のプリコーディング行列Ｗ’は、上記の２つの例におけるＷ’の混合式であり得る。具体的には、この例のＷ’のいくつかの要素は、上記の例の１つのＷ’の要素の式を満たし、この例のＷ’の他の要素は、他の例のＷ’の要素の式を満たす。
【０１２３】
任意選択的に、コードブックＣ2において、異なるプリコーディング行列は異なるコードブックインデックスに対応し得る。コードブックインデックスはコードブック中のプリコーディング行列のシーケンス番号を表し、コードブックインデックスの値は第２のＰＭＩの値に等しい。
【０１２４】
任意選択的に、第１のコードブックＣ1及び／又は第２のコードブックＣ2の具体的な設計方法についても、図４から図６に対応する実施形態における任意の１つ又は複数のコードブックの設計方法を参照されたい。詳細については、本明細書では再度説明しない。
【０１２５】
パート９０２：ネットワークデバイスは、ＣＳＩ−ＲＳリソースの設定情報をユーザ機器に示す。任意選択的に、このパートの具体的な実装形態については、パート３０２の説明を参照されたい。具体的な例では、ネットワークデバイスは、ＣＳＩ−ＲＳリソース１の設定情報をユーザ機器に示す。ＣＳＩ−ＲＳリソース１の具体的な特徴については、パート９０１のＣＳＩ−ＲＳリソース１の具体例に関する説明を参照されたい。
【０１２６】
パート９０３：ユーザ機器は、ネットワークデバイスによって送信された指示情報を受信し、指示情報はＰＭＩを報告するためにユーザ機器によって使用されるコードブックに関する情報を含む。任意選択的に、この部分の具体的な実装形態については、パート２０１の説明を参照されたい。具体例では、指示情報は、ＣＳＩ−ＲＳリソース１に基づいて第１のＰＭＩを報告するために使用される第１のコードブックについての情報を含む。ＣＳＩ−ＲＳリソース１及び第１のコードブックの具体的な設計方法については、パート９０１のＣＳＩ−ＲＳリソース１及び第１のコードブックの具体例に関する説明を参照されたい。
【０１２７】
パート９０４：ネットワークデバイスは、ＣＳＩ−ＲＳを送信する。具体例では、ネットワークデバイスはＣＳＩ−ＲＳリソース１でＣＳＩ−ＲＳを送信し、ユーザ機器は受信したＣＩＳ−ＲＳに基づいてチャネル推定及び測定を実行し得る。
【０１２８】
パート９０５：ユーザ機器は、ＣＳＩ−ＲＳリソース１で受信されたＣＳＩ−ＲＳを使用することによって、パート９０３の指示情報に基づいて第１のコードブックから第１のＰＭＩを決定する。具体例において、ユーザ機器は、ＣＳＩ−ＲＳリソース１で受信されたＣＳＩ−ＲＳに基づいてチャネル推定を実行し、信号対干渉雑音比最大化基準に基づいて、第１のコードブック中の特定の使用対象のプリコーディング行列を決定し、選択されたプリコーディング行列に基づいて、レポートされる必要がある第１のＰＭＩの値を決定し得る。例えば、第１のＰＭＩの値は、選択されたプリコーディング行列のインデックス番号であり得る。
【０１２９】
パート９０６：ユーザ機器はＰＭＩをレポートする。任意選択的に、このパートの具体的な実装形態については、パート２０２の説明を参照されたい。具体例において、ユーザ機器は、パート９０５で決定された第１のＰＭＩをネットワークデバイスにレポートする。
【０１３０】
パート９０７から９１１：ネットワークデバイスは、ＣＳＩ−ＲＳリソース２の構成をユーザ機器に示し、ＣＳＩ−ＲＳリソース２を使用することによって第２のＰＭＩをレポートするために使用される第２のコードブックをユーザ機器に示すために指示情報をユーザ機器に送信し、ＣＳＩ−ＲＳリソース２上でＣＳＩ−ＲＳを送信する。ユーザ機器は、ＣＳＩ−ＲＳリソース２上で受信したＣＳＩ−ＲＳ及び第２のコードブック中のプリコーディング行列を使用することによって指示情報内の指示に基づいて第２のＰＭＩを決定し、第２のＰＭＩをネットワークデバイスにレポートする。これらのパートの具体的な実装は、パート９０２から９０６の説明と同様である。相違点は、ＣＳＩ−ＲＳリソース２、第２のコードブック、及び第２のＰＭＩがパート９０７から９１１で関連していることだけである。ＣＳＩ−ＲＳリソース２及び第２のコードブックについては、パート９０１のＣＳＩ−ＲＳリソース２及び第２のコードブックの具体例に関する説明を参照されたい。
【０１３１】
任意選択的に、パート９１２において、ネットワークデバイスは、ユーザ機器によってレポートされた第１のＰＭＩ及び第２のＰＭＩに基づいてダウンリンクデータをプリコーディングする。
【０１３２】
任意選択的に、パート９１３において、ネットワークデバイスはプリコーディングされたダウンリンクデータをユーザ機器に送信する。
【０１３３】
任意選択的に、本出願は、図９に対応する実施形態におけるパートのシーケンスにいかなる制限も課さず、また、実施のために２つ以上のパートを組み合わせて１つのパートにし得る。例えば、パート９０７はパート９０３の前に実行されてもよく、或いはパート９０７とパート９０２は実施のために代替的に１つのシグナリングに組み合わされてもよい。具体的には、ネットワークデバイスは、１つのシグナリングでＣＳＩ−ＲＳリソース１及びＣＳＩ−ＲＳリソース２の構成をユーザ機器に指示してもよく、或いは異なるシグナリングでユーザ機器にＣＳＩ−ＲＳリソース１及びＣＳＩ−ＲＳリソースの構成を別々に指示してもよい。別の例では、実施のためにパート９０３とパート９０２を組み合わせ得る。具体的には、ネットワークデバイスは、１つのシグナリングで、ＣＳＩ−ＲＳリソース１の構成と、ＣＳＩ−ＲＳリソース１に基づいて第１のＰＭＩをレポートするために使用される第１のコードブックに関する情報とをユーザ機器に示し得る。さらに別の例では、パート９０２、９０３、９０７、及び９０８は、代替的に１つのパートに組み合わされて実装し得る。
【０１３４】
任意選択的に、ネットワークデバイスがユーザ機器に対して少なくとも２つのＣＳＩ−ＲＳリソースを設定するとき、少なくとも２つのＣＳＩ−ＲＳリソースの設定パラメータは互いに独立していてもよい。しかし、ユーザ機器が少なくとも２つのＣＳＩ−ＲＳリソースを使用して測定及びＰＭＩレポートを実行する手助けをするために、２つのＣＳＩ−ＲＳリソースの設定パラメータ間に特定の関係も設定され得る。具体例では、少なくとも２つのＣＳＩ−ＲＳリソースの測定期間の間に特定の関係があってもよい。図９に対応する実施形態を参照すると、ＣＳＩ−ＲＳリソース１及びＣＳＩ−ＲＳリソース２を例にとると、ＣＳＩ−ＲＳリソース１の測定期間はＴ1であり、ＣＳＩ−ＲＳリソース２の測定期間はＴ2であり、ここで、Ｔ2＝ＸＴ1（Ｘ≧１）であり、Ｔ1及びＴ2は、１測定期間内に含まれるサブフレームの量として表されてもよく、又は特定の時間長として表されてもよい。第２のコードブックは、ビーム間位相補償、ビーム間振幅補償、異なるアンテナパネルから到来するビーム間の位相補償、及び異なるアンテナパネルから到来するビーム間の位相補償の機能のうちの少なくとも１つを実施するために使用されるコードブックである。補償量の変動は比較的遅く、従って、ＣＳＩ−ＲＳリソース２の測定期間は、ＣＳＩ−ＲＳリソース１の測定期間より長くてもよい。具体例では、少なくとも２つのＣＳＩ−ＲＳのサブフレームオフセット間に特定の関係もあり得る。図９に対応する実施形態を参照すると、ＣＳＩ−ＲＳリソース１及びＣＳＩ−ＲＳリソース２を例に挙げて、ＣＳＩ−ＲＳリソース１及びＣＳＩ−ＲＳリソース２の少なくとも一方が非周期的である場合、特定のシーケンスは、異なるＣＳＩ−ＲＳリソースの測定シーケンスが実施されるように、ＣＳＩ−ＲＳリソース１が存在するサブフレームのインデックスと、ＣＳＩ−ＲＳリソース２が存在するサブフレームのインデックスとの間に設定されてもよい。
【０１３５】
ネットワークデバイスがユーザ機器に対して少なくとも２つのＣＳＩ−ＲＳリソースを設定するとき、任意選択的に、ネットワークデバイスは、シグナリング（例えば、ＲＲＣシグナリング又はＣＳＩ測定設定シグナリング）を使用することによって、異なるＣＳＩ−ＲＳリソースの特定の用途又はＣＳＩ−ＲＳリソースとＣＳＩレポートとの間の関係についてユーザ機器に通知し得る。例えば、ネットワークデバイスは、ＣＳＩ−ＲＳリソース１がＰＭＩをフィードバックするのに使用され、ＣＳＩ−ＲＳリソース２がＰＭＩ及びチャネル品質インジケータ（Ｃｈａｎｎｅｌ  Θｕａｌｉｔｙ  Ｉｎｄｉｃａｔｏｒ、ＣΘＩ）をフィードバックするのに使用されることをユーザ機器に通知し得る。任意選択的に、ネットワークデバイス及びユーザ機器はさらに、ＣＳＩ−ＲＳリソースの特定の使用法、並びにＣＳＩ−ＲＳリソースとＣＳＩレポートとの間の関係について事前に合意し得る。例えば、第１のＣＳＩ−ＲＳリソースがＰＭＩをフィードバックするために使用され、第２のＣＳＩ−ＲＳリソースがＰＭＩ及びＣΘＩをフィードバックするために使用されることが事前合意されている。ネットワークデバイスは、シグナリングを使用して、どのＣＳＩ−ＲＳリソースが第１のＣＳＩ−ＲＳリソースであり、どのＣＳＩ−ＲＳリソースが第２のＣＳＩ−ＲＳリソースであるかをユーザ機器に通知し、ユーザ機器は、事前に合意された、ＣＳＩ−ＲＳリソースの特定の用途又はＣＳＩ−ＲＳリソースとＣＳＩレポートとの間の関係に基づいて異なるＣＳＩ−ＲＳリソースを使用することによって、ＰＭＩ及び／又はＣΘＩをレポートする。具体例では、図９に対応する実施形態を参照すると、ユーザ機器は、ＣＳＩ−ＲＳリソース２に基づいてチャネル品質測定を実行し、ＣΘＩをレポートし得る。任意選択的に、ユーザ機器によってレポートされた第１のＰＭＩを受信した後、ネットワークデバイスは、第１のコードブック中の使用されているプリコーディング行列Ｗを決定し得る。ネットワークデバイスは、ＣＳＩ−ＲＳリソース２を取得するために、プリコーディング行列Ｗを使用することによって各パネル上のＣＳＩ−ＲＳアンテナポートをプリコーディングしてもよく、その後、ユーザ機器はＣＳＩ−ＲＳリソース２上で受信したＣＳＩ−ＲＳに基づいてチャネル測定を実行し、ＣΘＩをレポートする。
【０１３６】
ネットワークデバイスがユーザ機器に対して少なくとも２つのＣＳＩ−ＲＳリソースを設定するとき、任意選択的に、ユーザ機器がＣΘＩを取得するためのプリコーディング行列の仮定が事前に合意されてもよい。具体的には、ユーザ機器がＣΘＩを取得するときに使用されるプリコーディング行列ＷCΘIと、少なくとも２つのＣＳＩ−ＲＳリソースを使用することによって決定されるＰＭＩとの間の関係が事前に合意される。具体例では、図９に対応する実施形態を参照すると、ＷCΘIは以下の式のうちの少なくとも１つを満たすと仮定され得る。
【０１３７】
【数７】
2019537874.tif 000009
【０１３８】
【数８】
2019537874.tif 000010
【０１３９】
【数９】
2019537874.tif 000011
【０１４０】
【数１０】
2019537874.tif 000012
【０１４１】
【数１１】
2019537874.tif 000013
【０１４２】
【数１２】
2019537874.tif 000014
【０１４３】
任意選択的に、上記の実施形態におけるシグナリング又は指示情報は、ＲＲＣシグナリングなどの上位レイヤシグナリングを使用することによって実装され得るか、又は物理レイヤシグナリングなどの他のシグナリングを使用することによって実装され得る。これはこの用途に限定されない。
【０１４４】
本出願の実施形態における「第１のコードブック」又は「第１のサブコードブック」などの多数のコードブックは、本出願の実施形態に対するいかなる限定も成さないことに留意されたい。同じ番号を有するコードブックは、異なる実装における異なる機能に対応し得る。第１のコードブックや第１のサブコードブックのように、同じ番号を持つコードブックとサブコードブックは、論理及び使用において必ずしも従属関係や階層関係を持つわけではない。例えば、第１のサブコードブックは代替として、第４のコードブックとして定義されてもよく、独立して使用されてもよい。これはこの用途に限定されない。
【０１４５】
図７は、本出願の実施形態によるユーザ機器の概略構造図である。
【０１４６】
一例では、ユーザ機器の構造は受信機及び送信機を含む。一例では、ユーザ機器はプロセッサをさらに含み得る。一例では、ユーザ機器はメモリをさらに含み得る。図７に対応する例では、本出願の本実施形態において提供されるユーザ機器の構造は、送信機７０１、受信機７０２、プロセッサ７０３、及びメモリ７０４を含む。
【０１４７】
アップリンクでは、送信機７０１は、送信対象のデータ又は情報（ＰＭＩなど）を変調し、送信対象のデータ又は情報の出力サンプルを提供し、アップリンク信号を生成する。上記の実施形態では、アップリンク信号はアンテナを介してネットワークデバイスに送信される。ダウンリンクでは、アンテナは、上記の実施形態では、ネットワークデバイスによって送信されたダウンリンク信号（指示情報及び／又は参照信号を含む）を受信し、受信機７０２はアンテナから受信した信号を変調して入力サンプルを供給する。サービスデータ及びシグナリングメッセージはプロセッサ７０３で処理される。例えば、構文解析、チャネル推定、及びＰＭＩ決定が指示情報に対して実行される。これらのユニットは、無線アクセスネットワークで使用される無線アクセス技術（例えば、ＬＴＥシステム及び他の発展型システムで使用されるアクセス技術）に従って処理を実行する。プロセッサ７０３はさらに、例えば、指示情報、コードブック、及びＰＭＩを処理するようにユーザ機器を制御するなど、上記の実施形態においてユーザ機器によって実行される処理を実行するために及び／又は本出願に記載された技術の別のプロセスを実行するために、ユーザ機器の動作に関する制御管理を実行するように構成される。プロセッサ７０３はさらに、図２から図６のユーザ機器の処理プロセスを実行する際にユーザ機器をサポートするように構成される。メモリ７０４は、ユーザ機器のプログラムコード及びデータを格納するように構成される。
【０１４８】
図８は、本出願の実施形態によるネットワークデバイスの概略構造図である。
【０１４９】
一例では、ネットワークデバイスの構造は、送信機と受信機とを含む。一例では、ネットワークデバイスはプロセッサをさらに含み得る。一例では、ネットワークデバイスはメモリをさらに含み得る。一例では、ネットワークデバイスは、別のネットワークデバイスとの通信、例えば、コアネットワークノードとの通信をサポートするように構成された通信ユニットをさらに含み得る。図８に対応する例では、本出願におけるネットワークデバイスの構成は、送受信機８０１、プロセッサ８０２、メモリ８０３、及び通信ユニット８０４を含む。
【０１５０】
送受信機８０１は、例えば、上記の実施形態における指示情報の送信及び上記のＰＭＩの受信など、上記の実施形態におけるネットワークデバイスとユーザ機器との間の情報送受信をサポートするように構成される。プロセッサ８０２は、ユーザ機器との通信を実行する様々な機能を実行する。プロセッサ８０２はさらに、図２から図６のネットワークデバイスの処理プロセス、例えば、ユーザに対して、ＰＭＩをレポートするために使用されるコードブックを決定する処理を実行する。メモリ８０３は、ネットワークデバイスのプログラムコード及びデータを格納するように構成される。通信ユニット８０４は、ネットワークデバイスと他のネットワークデバイスとの間の通信、例えば、コアネットワークノードとの通信をサポートするように構成される。
【０１５１】
図８は、ネットワークデバイスの単純化された設計を単に示すことが理解できるだろう。実際の用途では、ネットワークデバイスは、任意の数の送信機、受信機、プロセッサ、メモリなどを含み得る。本出願を実装できるすべてのネットワークデバイスは、本出願の保護範囲に入る。
【０１５２】
本出願においてユーザ機器及びネットワークデバイスを達成するように構成されたプロセッサは、中央処理装置（ＣＰＵ）、汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、トランジスタロジックデバイス、ハードウェアコンポーネント、又はそれらの任意の組合わせであってもよい。プロセッサは、本出願に開示された内容を参照して説明された様々な例示的な論理ブロック、モジュール、及び回路を実装又は実現することができる。或いは、プロセッサは、計算機能を実行するプロセッサの組合わせ、例えば、１つ以上のマイクロプロセッサの組合わせ、又はＤＳＰとマイクロプロセッサとの組合わせであってもよい。
【０１５３】
本出願に開示された内容を参照して説明された方法又はアルゴリズムステップは、ハードウェアによって実施されてもよく、又はソフトウェア命令を実行することによってプロセッサによって実施されてもよい。ソフトウェア命令は、対応するソフトウェアモジュールによって形成し得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルハードディスク、ＣＤ−ＲＯＭ、又は当該分野で公知の他の任意形態の記憶媒体に配置し得る。例えば、記憶媒体はプロセッサに結合され、それによりプロセッサは記憶媒体から情報を読み取ることができ、又は記憶媒体に情報を書き込むことができる。もちろん、記憶媒体はプロセッサの構成要素でもあり得る。プロセッサ及び記憶媒体は、ＡＳＩＣ内に配置してもよい。さらに、ＡＳＩＣは、ネットワークデバイス及び／又はユーザ機器に配置されてもよい。確かに、プロセッサ及び記憶媒体は、ネットワークデバイス及び／又はユーザ機器内に個別の構成要素として代替的に存在し得る。
【０１５４】
当業者であれば理解すべきであるが、前述の１つ又は複数の例において、本出願で説明されている機能は、ハードウェア、ソフトウェア、ファームウェア、又はそれらの任意の組合せによって実装され得る。本出願で説明されている機能がソフトウェアによって実施される場合、その機能はコンピュータ可読媒体に格納されるか、又は１つ又は複数の命令又はコードとしてコンピュータ可読媒体に送信され得る。コンピュータ可読媒体は、コンピュータ記憶媒体及び通信媒体を含み、通信媒体はコンピュータプログラムをある場所から別の場所に送信することを可能にする任意の媒体を含む。記憶媒体は、汎用又は専用のコンピュータによってアクセスされることができる任意の利用可能な媒体としてもよい。
【０１５５】
本出願の目的、技術的解決策、及び利点は、上記の具体的な実装でさらに詳細に説明されている。上記の説明は単に本出願の具体的な実装であり、本出願の保護範囲を限定することを意図するものではないことを理解されたい。本出願における技術的解決法に基づいてなされたいかなる修正、等価置換、又は改良も本出願の保護範囲内に入るものとする。
【図１】
2019537874.tif 000015
【図２】
2019537874.tif 000016
【図３】
2019537874.tif 000017
【図４】
2019537874.tif 000018
【図５】
2019537874.tif 000019
【図６】
2019537874.tif 000020
【図７】
2019537874.tif 000021
【図８】
2019537874.tif 000022
【図９】
2019537874.tif 000023
【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
ユーザ機器によって、ネットワークデバイスによって送信された指示情報を受信するステップであって、前記指示情報は、プリコーディング行列インジケータ（Ｐｒｅｃｏｄｉｎｇ  Ｍａｔｒｉｘ  Ｉｎｄｉｃａｔｏｒ、ＰＭＩ）をレポートするために使用されるコードブックに関する情報を含み、前記コードブックに関する前記情報は、前記使用されるコードブックが第１のコードブックから第Ｎのコードブックのうちの少なくとも２つであることを示し、前記ＰＭＩは、第１のＰＭＩから第ＮのＰＭＩのうちの少なくとも２つを含み、前記第１のＰＭＩから前記第ＮのＰＭＩはそれぞれ、前記第１のコードブックのプリコーディング行列から前記第Ｎのコードブックのプリコーディング行列を示すために使用され、Ｎは２以上の整数である、ステップと、
前記ユーザ機器によって、前記指示情報に基づいて前記ＰＭＩを送信するステップと
を含む、プリコーディング行列指示方法。
【請求項２】
前記第１のＰＭＩから前記第ＮのＰＭＩの値は、それぞれ前記第１のコードブック中の１つのコードブックインデックスから前記第Ｎのコードブック中の１つのコードブックインデックスに対応する、
請求項１に記載の方法。
【請求項３】
前記第１のコードブックから前記第Ｎのコードブックは、ビーム選択に使用される少なくとも１つのコードブックを含む、
請求項１又は２に記載の方法。
【請求項４】
前記第１のコードブックから前記第Ｎのコードブックは、ビームベースのベクトル選択に使用される少なくとも１つのコードブックを含む、
請求項１〜３のいずれか一項に記載の方法。
【請求項５】
前記第１のコードブックから前記第Ｎのコードブックは、ビーム合成に使用される少なくとも１つのコードブックを含む、
請求項１〜４のいずれか一項に記載の方法。
【請求項６】
前記第１のコードブックから前記第Ｎのコードブックは、ビーム間の振幅及び／又は位相の補償に使用される少なくとも１つのコードブックを含む、
請求項１〜５のいずれか一項に記載の方法。
【請求項７】
ネットワークデバイスによって、指示情報をユーザ機器に送信するステップであって、前記指示情報は、プリコーディング行列インジケータ（Ｐｒｅｃｏｄｉｎｇ  Ｍａｔｒｉｘ  Ｉｎｄｉｃａｔｏｒ、ＰＭＩ）をレポートするために前記ユーザ機器により使用されるコードブックに関する情報を含み、前記コードブックに関する前記情報は、前記使用されるコードブックが第１のコードブックから第Ｎのコードブックのうちの少なくとも２つであることを示し、前記ＰＭＩは、第１のＰＭＩから第ＮのＰＭＩのうちの少なくとも２つを含み、前記第１のＰＭＩから前記第ＮのＰＭＩはそれぞれ、前記第１のコードブックのプリコーディング行列から前記第Ｎのコードブックのプリコーディング行列を示すために使用され、Ｎは２以上の整数である、ステップと、
前記ネットワークデバイスによって、前記ユーザ機器によって送信された前記ＰＭＩを受信するステップと
を含む、プリコーディング行列指示方法。
【請求項８】
前記第１のＰＭＩから前記第ＮのＰＭＩの値は、それぞれ前記第１のコードブック中の１つのコードブックインデックスから前記第Ｎのコードブック中の１つのコードブックインデックスに対応する、
請求項７に記載の方法。
【請求項９】
ネットワークデバイスによって送信された指示情報を受信するように構成される受信機であって、前記指示情報は、プリコーディング行列インジケータ（Ｐｒｅｃｏｄｉｎｇ  Ｍａｔｒｉｘ  Ｉｎｄｉｃａｔｏｒ、ＰＭＩ）をレポートするために使用されるコードブックに関する情報を含み、前記コードブックに関する前記情報は、前記使用されるコードブックが第１のコードブックから第Ｎのコードブックのうちの少なくとも２つであることを示し、前記ＰＭＩは、第１のＰＭＩから第ＮのＰＭＩのうちの少なくとも２つを含み、前記第１のＰＭＩから前記第ＮのＰＭＩはそれぞれ、前記第１のコードブックのプリコーディング行列から前記第Ｎのコードブックのプリコーディング行列を示すために使用され、Ｎは２以上の整数である、受信機と、
前記指示情報に基づいて前記ＰＭＩを送信するように構成される送信機と
を備える、ユーザ機器。
【請求項１０】
前記第１のＰＭＩから前記第ＮのＰＭＩの値は、それぞれ前記第１のコードブック中の１つのコードブックインデックスから前記第Ｎのコードブック中の１つのコードブックインデックスに対応する、
請求項９に記載のユーザ機器。
【請求項１１】
前記第１のコードブックから前記第Ｎのコードブックは、ビーム選択に使用される少なくとも１つのコードブックを含む、
請求項９又は１０に記載のユーザ機器。
【請求項１２】
前記第１のコードブックから前記第Ｎのコードブックは、ビームベースのベクトル選択に使用される少なくとも１つのコードブックを含む、
請求項９〜１１のいずれか一項に記載のユーザ機器。
【請求項１３】
前記第１のコードブックから前記第Ｎのコードブックは、ビーム合成に使用される少なくとも１つのコードブックを含む、
請求項９〜１２のいずれか一項に記載のユーザ機器。
【請求項１４】
前記第１のコードブックから前記第Ｎのコードブックは、ビーム間の振幅及び／又は位相の補償に使用される少なくとも１つのコードブックを含む、
請求項９〜１３のいずれか一項に記載のユーザ機器。
【請求項１５】
指示情報をユーザ機器に送信するように構成される送信機であって、前記指示情報は、プリコーディング行列インジケータ（Ｐｒｅｃｏｄｉｎｇ  Ｍａｔｒｉｘ  Ｉｎｄｉｃａｔｏｒ、ＰＭＩ）をレポートするために前記ユーザ機器により使用されるコードブックに関する情報を含み、前記コードブックに関する前記情報は、前記使用されるコードブックが第１のコードブックから第Ｎのコードブックのうちの少なくとも２つであることを示し、前記ＰＭＩは、第１のＰＭＩから第ＮのＰＭＩのうちの少なくとも２つを含み、前記第１のＰＭＩから前記第ＮのＰＭＩはそれぞれ、前記第１のコードブックのプリコーディング行列から前記第Ｎのコードブックのプリコーディング行列を示すために使用され、Ｎは２以上の整数である、送信機と、
前記ユーザ機器によって送信された前記ＰＭＩを受信するように構成される受信機と
を備える、ネットワークデバイス。
【請求項１６】
前記ユーザ機器に対して、前記ＰＭＩをレポートするために使用される前記コードブックを決定するように構成されるプロセッサをさらに備える、
請求項１５に記載のネットワークデバイス。
【請求項１７】
前記第１のＰＭＩから前記第ＮのＰＭＩの値は、それぞれ前記第１のコードブック中の１つのコードブックインデックスから前記第Ｎのコードブック中の１つのコードブックインデックスに対応する、
請求項１５又は１６に記載のネットワークデバイス。
【請求項１８】
請求項９〜１４のいずれか一項に記載の前記ユーザ機器と、請求項１５〜１７のいずれか一項に記載の前記ネットワークデバイスを備えるネットワークシステム。
【手続補正２】
【補正対象書類名】明細書
【補正対象項目名】００５４
【補正方法】変更
【補正の内容】
【００５４】
第１のコードブックから第Ｎのコードブックは、参照信号リソース及び／又はチャネル情報のうちの少なくとも１つに特化して設計され得る。例えば、あるコードブックはビーム選択に使用され、あるコードブックはビーム合成に使用され、あるコードブックはビーム間振幅及び／又は位相補償に使用される。このようにして、異なるシナリオに対応して、異なるコードブックの組合わせが使用のために選択され得る。
【手続補正３】
【補正対象書類名】明細書
【補正対象項目名】００６２
【補正方法】変更
【補正の内容】
【００６２】
一例では、ネットワークデバイスは、ＣＳＩ−ＲＳが送信されるときにＣＳＩ−ＲＳがプリコーディングされるかどうかについてのケース、及び／又はＣＳＩ−ＲＳリソース中のアンテナポートの分布に依存するユーザ機器に対して、ＰＭＩのレポートに使用されたコードブックを決定し得る。例えば、ビームフォーミングされた（ｂｅａｍｆｏｒｍｅｄ）ＣＳＩ−ＲＳなどのプリコーディングされたＣＳＩ−ＲＳを送信するとき、ネットワークデバイスは、ビーム間の振幅及び／又は位相の補償に使用されるコードブックを使用するようにユーザ機器に指示し、ユーザ機器は、ビームフォーミングに使用されるコードブックを使用しないこともある。別の例では、ＣＳＩ−ＲＳリソースが異なるパネル上のアンテナポートを含む場合、言い換えれば、ビームが異なるアンテナパネルから到来する場合、ネットワークデバイスはまた、異なるパネルからのビーム間の差補償を実行するように、ビーム間振幅及び／又は位相補償に使用されるコードブックを使用するようにユーザ機器に指示し得る。
【手続補正４】
【補正対象書類名】明細書
【補正対象項目名】００８１
【補正方法】変更
【補正の内容】
【００８１】
この実施形態では、ＣＳＩ−ＲＳリソース１はプリコーディングされていないＣＳＩ−ＲＳリソースであり、ＣＳＩ−ＲＳリソース２はビームフォーミングされたＣＳＩ−ＲＳリソースである。ネットワークデバイスは、ＣＳＩ−ＲＳリソース１に関して、第１のコードブックが第１のＰＭＩをレポートするために使用されることを決定する。ＣＳＩ−ＲＳリソース２の場合、第１のコードブック及び第２のコードブックは、第１のＰＭＩ及び第２のＰＭＩをレポートするために使用される。ＣＳＩ−ＲＳリソース１に基づいてチャネル推定を実行した後に、ユーザ機器は、信号対干渉雑音比最大化基準に基づいて、第１のコードブック中の特定の使用対象のプリコーディング行列を決定してもよく、レポートされる必要がある第１のＰＭＩの値を決定してもよい。ＣＳＩ−ＲＳリソース２に基づいてチャネル推定を実行した後に、ユーザ機器は、信号対干渉雑音比最大化基準に基づいて、第１のコードブック中の特定の使用対象のプリコーディング行列及び第２のコードブック中の特定の使用対象のプリコーディング行列を決定してもよく、またレポートされる必要がある第１のＰＭＩの値及びレポートされる必要がある第２のＰＭＩの値を決定してもよい。
【手続補正５】
【補正対象書類名】明細書
【補正対象項目名】０１１３
【補正方法】変更
【補正の内容】
【０１１３】
パート９０１の３つの具体例のいずれかを参照すると、具体例において、ＣＳＩ−ＲＳリソース２は、プリコーディングされたＣＳＩ−ＲＳリソースであってもよい。ＣＳＩ−ＲＳリソース２は、Ｎ’（Ｎ’≦Ｎ）個のＣＳＩ−ＲＳアンテナポートを含む。異なるＣＳＩ−ＲＳアンテナポートは異なるアンテナパネルからのものであり、同じアンテナパネル上のアンテナユニット又はアンテナポートは１つのビームを形成してもよく、ＣＳＩ−ＲＳリソース２中の１つのＣＳＩ−ＲＳアンテナポートに対応する。任意選択的に、ネットワークデバイスは、ＣＳＩ−ＲＳリソース２上で送信されるＣＳＩ−ＲＳを取得するために、ユーザ機器によってフィードバックされた第１のＰＭＩに基づいて、Ｎ’個のアンテナパネル上にあるＣＳＩ−ＲＳアンテナポートをプリコードする。この場合、ＣＳＩ−ＲＳリソース２を使用することによって第２のＰＭＩをフィードバックするために使用される第２のコードブックＣ2は、ビーム間位相補償、ビーム間振幅補償、異なるアンテナパネルから到来するビーム間の位相補償、及び異なるアンテナパネルから到来するビーム間の振幅補償の機能のうちの少なくとも１つを実施するために使用されるコードブックであり得る。第２のコードブックＣ2中のプリコーディング行列Ｗ’は、以下の式を満たし得る。
【手続補正６】
【補正対象書類名】明細書
【補正対象項目名】０１２７
【補正方法】変更
【補正の内容】
【０１２７】
パート９０４：ネットワークデバイスは、ＣＳＩ−ＲＳを送信する。具体例では、ネットワークデバイスはＣＳＩ−ＲＳリソース１でＣＳＩ−ＲＳを送信し、ユーザ機器は受信したＣＳＩ−ＲＳに基づいてチャネル推定及び測定を実行し得る。
【手続補正７】
【補正対象書類名】明細書
【補正対象項目名】０１３４
【補正方法】変更
【補正の内容】
【０１３４】
任意選択的に、ネットワークデバイスがユーザ機器に対して少なくとも２つのＣＳＩ−ＲＳリソースを設定するとき、少なくとも２つのＣＳＩ−ＲＳリソースの設定パラメータは互いに独立していてもよい。しかし、ユーザ機器が少なくとも２つのＣＳＩ−ＲＳリソースを使用して測定及びＰＭＩレポートを実行する手助けをするために、少なくとも２つのＣＳＩ−ＲＳリソースの設定パラメータ間に特定の関係も設定され得る。具体例では、少なくとも２つのＣＳＩ−ＲＳリソースの測定期間の間に特定の関係があってもよい。図９に対応する実施形態を参照すると、ＣＳＩ−ＲＳリソース１及びＣＳＩ−ＲＳリソース２を例にとると、ＣＳＩ−ＲＳリソース１の測定期間はＴ1であり、ＣＳＩ−ＲＳリソース２の測定期間はＴ2であり、ここで、Ｔ2＝ＸＴ1（Ｘ≧１）であり、Ｔ1及びＴ2は、１測定期間内に含まれるサブフレームの量として表されてもよく、又は特定の時間長として表されてもよい。第２のコードブックは、ビーム間位相補償、ビーム間振幅補償、異なるアンテナパネルから到来するビーム間の位相補償、及び異なるアンテナパネルから到来するビーム間の振幅補償の機能のうちの少なくとも１つを実施するために使用されるコードブックである。補償量の変動は比較的遅く、従って、ＣＳＩ−ＲＳリソース２の測定期間は、ＣＳＩ−ＲＳリソース１の測定期間より長くてもよい。具体例では、少なくとも２つのＣＳＩ−ＲＳのサブフレームオフセット間に特定の関係もあり得る。図９に対応する実施形態を参照すると、ＣＳＩ−ＲＳリソース１及びＣＳＩ−ＲＳリソース２を例に挙げて、ＣＳＩ−ＲＳリソース１及びＣＳＩ−ＲＳリソース２の少なくとも一方が非周期的である場合、特定のシーケンスは、異なるＣＳＩ−ＲＳリソースの測定シーケンスが実施されるように、ＣＳＩ−ＲＳリソース１が存在するサブフレームのインデックスと、ＣＳＩ−ＲＳリソース２が存在するサブフレームのインデックスとの間に設定されてもよい。
【国際調査報告】
2019537874.tif 000024
2019537874.tif 000025
2019537874.tif 000026
2019537874.tif 000027
2019537874.tif 000028